(57)【要約】ディスクの記録データであるディスクタイプ情報に基づいて決定する態様でデータ再生を行なう。ディスクの物理フォーマット対応の読み出しレートと、ディスクタイプ対応の読み出しレートを比較し、不一致の場合、物理フォーマット対応レートでディスクから読み出したデータをバッファに格納し、ディスクタイプ対応レートでバッファから出力したデータを利用して再生処理を行なう。物理フォーマットがＢＤ−Ｒ、またはＢＤ−ＲＥ、論理フォーマットがＢＤＭＶ−ＵＨＤ対応の論理フォーマットである場合、バッファを利用したレート変換を伴うエミュレーションモード再生を行なう。
2017068971.tif 000002
【特許請求の範囲】
【請求項１】
ディスク記録データの再生処理を実行するデータ処理部を有し、
前記データ処理部は、
ディスクの物理フォーマットに基づく規定の物理フォーマット対応読み出しレートと、
ディスクに記録されたディスクタイプ情報に対応付けられたディスクタイプ対応読み出しレートを取得し、
前記物理フォーマット対応読み出しレートと、前記ディスクタイプ対応読み出しレートが不一致の場合、前記物理フォーマット対応読み出しレートに従ったレートでディスクから読み出したデータをバッファに格納し、前記ディスクタイプ対応読み出しレートに従ったレートで前記バッファから出力し、
前記バッファからの出力データを利用した再生処理を実行する情報処理装置。
【請求項２】
前記データ処理部は、
ディスクの物理フォーマットと、論理フォーマットの識別処理を実行し、
物理フォーマットと、論理フォーマットが予め規定した組み合わせである場合には、通常再生処理を実行し、
物理フォーマットと、論理フォーマットが予め規定した組み合わせでない場合には、通常再生処理ではないエミュレーションモードでの再生処理を実行し、
前記エミュレーションモードにおいて、
前記物理フォーマット対応読み出しレートと、前記ディスクタイプ対応読み出しレートとの比較処理を実行する請求項１に記載の情報処理装置。
【請求項３】
前記データ処理部は、
ディスクの物理フォーマットが、ＢＤ−Ｒ、またはＢＤ−ＲＥ対応の物理フォーマットであり、
ディスクの論理フォーマットが、超高精細画像（ＵＨＤ：Ｕｌｔｒａ  Ｈｉｇｈ  Ｄｅｆｉｎｉｔｉｏｎ画像）記録用のＢＤＭＶ−ＵＨＤ対応の論理フォーマットである場合、
前記エミュレーションモードでの再生処理を実行する請求項２に記載の情報処理装置。
【請求項４】
前記データ処理部は、
前記物理フォーマット対応読み出しレートと、前記ディスクタイプ対応読み出しレートが一致する場合、前記バッファを介したレート変換を実行することなく、前記物理フォーマット対応読み出しレートに従ったレートでディスクから読み出したデータを利用した再生処理を実行する請求項１に記載の情報処理装置。
【請求項５】
前記データ処理部は、
ディスクに記録されたディスクタイプ情報に基づいて、ディスクが異なる読み出しレートを設定した複数ゾーン型ディスクであるか否かを判定する請求項１に記載の情報処理装置。
【請求項６】
前記データ処理部は、
ディスクが、前記複数ゾーン型ディスクであると判定した場合、ゾーン単位で前記バッファからのデータ出力レートを変更する請求項１に記載の情報処理装置。
【請求項７】
前記データ処理部は、
ディスクに記録されたインデックステーブルから、前記ディスクタイプ情報を取得する請求項１に記載の情報処理装置。
【請求項８】
前記ディスクは、
超高精細画像（ＵＨＤ：Ｕｌｔｒａ  Ｈｉｇｈ  Ｄｅｆｉｎｉｔｉｏｎ画像）の記録用ディスクであるＢＤ−ＵＨＤ−ＲＯＭ記録用のデータを記録したＢＤ−Ｒディスク、またはＢＤ−ＲＥディスクであり、
前記データ処理部は、
ＢＤ−Ｒディスク、またはＢＤ−ＲＥディスクからのＵＨＤコンテンツ再生処理を実行する請求項１に記載の情報処理装置。
【請求項９】
前記ディスクは、
非暗号化データを記録したＢＤ−Ｒディスク、またはＢＤ−ＲＥディスクであり、
前記データ処理部は、
ＢＤ−Ｒディスク、またはＢＤ−ＲＥディスクからの非暗号化コンテンツ再生処理を実行する請求項１に記載の情報処理装置。
【請求項１０】
情報処理装置において実行する情報処理方法であり、
前記情報処理装置は、ディスク記録データの再生処理を実行するデータ処理部を有し、
前記データ処理部は、
ディスクの物理フォーマットに基づく規定の物理フォーマット対応読み出しレートと、
ディスクに記録されたディスクタイプ情報に対応付けられたディスクタイプ対応読み出しレートを取得し、
前記物理フォーマット対応読み出しレートと、前記ディスクタイプ対応読み出しレートが不一致の場合、前記物理フォーマット対応読み出しレートに従ったレートでディスクから読み出したデータをバッファに格納し、前記ディスクタイプ対応読み出しレートに従ったレートで前記バッファから出力し、
前記バッファからの出力データを利用した再生処理を実行する情報処理方法。
【請求項１１】
情報処理装置において情報処理を実行させるプログラムであり、
前記情報処理装置は、ディスク記録データの再生処理を実行するデータ処理部を有し、
前記プログラムは、前記データ処理部に、
ディスクの物理フォーマットに基づく規定の物理フォーマット対応読み出しレートと、
ディスクに記録されたディスクタイプ情報に対応付けられたディスクタイプ対応読み出しレートを取得する処理と、
前記物理フォーマット対応読み出しレートと、前記ディスクタイプ対応読み出しレートが不一致の場合、前記物理フォーマット対応読み出しレートに従ったレートでディスクから読み出したデータをバッファに格納し、前記ディスクタイプ対応読み出しレートに従ったレートで前記バッファから出力する処理と、
前記バッファからの出力データを利用した再生処理を実行させるプログラム。
【発明の詳細な説明】
【技術分野】
【０００１】
本開示は、情報処理装置、および情報処理方法、並びにプログラムに関する。さらに詳細には、書き換え可能ディスクに記録した超高精細画像（ＵＨＤ：Ｕｌｔｒａ  Ｈｉｇｈ  Ｄｅｆｉｎｉｔｉｏｎ画像）を含むコンテンツの再生を実行する情報処理装置、および情報処理方法、並びにプログラムに関する。
【背景技術】
【０００２】
映画や音楽等、様々なコンテンツを記録する情報記録媒体（メディア）として、ＤＶＤ(Digital Versatile Disc)や、ＢＤ（Ｂｌｕ−ｒａｙ（登録商標）  Ｄｉｓｃ）が多く利用されている。【０００３】
映画などのコンテンツを予め記録したメディアであるＢＤ−ＲＯＭには、例えば高画質画像であるＨＤ（Ｈｉｇｈ  Ｄｅｆｉｎｉｔｉｏｎ）画像に併せて音声、字幕等のデータが記録される。
現行のＢＤ−ＲＯＭは、主にＨＤ画像、いわゆるハイビジョン対応の２Ｋ画像が記録されているものが多いが、今後、高画質化が進み、超高精細画像（ＵＨＤ：Ｕｌｔｒａ  Ｈｉｇｈ  Ｄｅｆｉｎｉｔｉｏｎ画像）を記録したメディアが増加することが予想される。【０００４】
なお、超高精細画像（ＵＨＤ画像）は、例えば、４Ｋや８Ｋ等の高解像度画像が代表的な例であるが、これらの高解像度画像に限らず、広ダイナミックレンジ画像や、出力色空間の広い画像等もＵＨＤ画像と呼ばれる。
今後は、このＵＨＤ画像を記録したメディアが増加することが予想される。【０００５】
例えば、４Ｋ画像等の超高精細画像（ＵＨＤ画像）は、ＨＤ画像である２Ｋ画像に比較し、単位時間当たりの処理データ量が増加する。その結果、ＢＤ等のディスクに対するデータ記録密度や、データ読み出しレートについても増加させることが必要となる。【０００６】
ＢＤに対する超高精細画像（ＵＨＤ画像）のデータ記録態様について、現在、規格策定機関であるＢＤＡ（Ｂｌｕ−ｒａｙ（登録商標）  Ｄｉｓｃ  Ａｓｓｏｃｉａｔｉｏｎ）において規格化が進められている。
ＵＨＤ画像を含むＵＨＤコンテンツを記録したＢＤ−ＲＯＭディスクであるＢＤ−ＵＨＤ−ＲＯＭディスクについても、１つのデータ記録層を持つ単層型ディスクの他、２層以上の複数の記録層を持つ多層型ディスク等、様々なタイプの規格について議論されている。【０００７】
このＢＤ−ＵＨＤ−ＲＯＭは、これまでのＢＤ−ＲＯＭとは異なる独自の物理フォーマットを持つ。例えば、ディスク一層あたりのデータ記録容量や、読み出しビットレートが、これまでのＢＤ−ＲＯＭディスクとは異なり、独自の物理フォーマットを有するディスクとなる。
また、ＢＤ−ＵＨＤ−ＲＯＭディスクに記録されるデータファイルの種類や配列等を規定する論理フォーマットも、これまでのＢＤ−ＲＯＭとは異なる独自の論理フォーマットとなる。【０００８】
映画等のコンテンツを記録したＢＤ−ＵＨＤ−ＲＯＭディスクを製造する場合、ディスクに記録されたコンテンツが正常に再生されるか否かの再生試験を行うことが必要となる。
この再生試験において、正常再生が確認された後、ＲＯＭディスクの大量生産に移行する。【０００９】
しかし、例えばある１つのＵＨＤコンテンツを記録したＢＤ−ＵＨＤ−ＲＯＭディスクを製造するためには、コンテンツ固有の金型、スタンパを製造することが必要であり、時間とコストがかかるという問題がある。
そこで、ＢＤ−ＵＨＤ−ＲＯＭディスクに記録予定のＵＨＤコンテンツを、データ書き換え可能なＢＤ−Ｒディスク、またはＢＤ−ＲＥディスク等に書き込み、これらのデータ書き換え可能ディスクを用いてＵＨＤコンテンツが正常に再生されるか否かの再生試験を行う。これにより、再生試験に要するコストや時間を大幅に削減することができる。【００１０】
データ書き換え可能なＢＤ−Ｒディスク、またはＢＤ−ＲＥディスクを利用することで、再生エラーが発生した場合でも、修正コンテンツを、再度、ＢＤ−Ｒディスク、またはＢＤ−ＲＥディスクに書き込み、修正コンテンツの再生試験が行えるからである。【００１１】
しかし、前述したように、ＢＤ−ＵＨＤ−ＲＯＭディスクは、独自の物理フォーマット、および独自の論理フォーマットを有する。
この独自フォーマットのデータを現行のＢＤ−Ｒ／ＢＤ−ＲＥディスクに記録した場合、ＢＤ−Ｒ／ＢＤ−ＲＥディスクからのＵＨＤコンテンツの再生が正常に行われる保証がない。【００１２】
すなわち、ＢＤ−Ｒディスク、またはＢＤ−ＲＥディスクに対して、ＢＤ−ＵＨＤ−ＲＯＭディスクに記録するＵＨＤコンテンツをコピー記録した場合、再生装置は、ＢＤ−Ｒディスク、またはＢＤ−ＲＥディスクの物理フォーマットおよび論理フォーマットに従った再生処理を行なう。
しかし、この再生処理は、ＢＤ−ＵＨＤ−ＲＯＭディスク対応の物理フォーマットや論理フォーマットに従った再生処理と異なる処理となり、結果としてコンテンツの正常再生がなされないことになる。【００１３】
例えば、ＢＤ−ＵＨＤ−ＲＯＭディスク対応の論理フォーマットとして規定されるデータ読み取りビットレートは、ＢＤ−Ｒディスク、またはＢＤ−ＲＥディスク対応の論理フォーマットとして規定される読み取りビットレートとは異なる。
再生装置が、ＢＤ−Ｒディスク、またはＢＤ−ＲＥディスク対応の読み取りビットレートで、これらのディスクに記録されたＵＨＤコンテンツを読み取って再生しても、正常再生ができない。【００１４】
ＢＤ−ＵＨＤ−ＲＯＭ記録コンテンツを正常に再生するためには、そのＢＤ−ＵＨＤ−ＲＯＭ記録コンテンツに応じた読み出しビットレートに従った再生を行なうことが必要となる。【００１５】
しかし、現時点において、ＢＤ−Ｒディスク、またはＢＤ−ＲＥディスクからのＵＨＤコンテンツの読み出しや再生処理についての規定が策定されておらず、ＢＤ−Ｒディスク、またはＢＤ−ＲＥディスクからのＵＨＤコンテンツの正常再生が実行できないという問題点がある。【００１６】
なお、ディスクからの読み出しレートと再生処理に関する説明を記載した従来技術として例えば特許文献１（特開２０１０−２５０９３９号公報）がある。
【先行技術文献】
【特許文献】
【００１７】
【特許文献１】特開２０１０−２５０９３９号公報
【発明の概要】
【発明が解決しようとする課題】
【００１８】
本開示は、例えば、上述の問題点に鑑みてなされたものであり、例えばＢＤ−ＵＨＤ−ＲＯＭディスク記録用コンテンツをＢＤ−Ｒディスク、またはＢＤ−ＲＥディスク等のデータ書き換え可能ディスクに記録して、これらのディスクからの正常再生を実現する情報処理装置、および情報処理方法、並びにプログラムを提供することを目的とする。
【課題を解決するための手段】
【００１９】
本開示の第１の側面は、
ディスク記録データの再生処理を実行するデータ処理部を有し、
前記データ処理部は、
ディスクの物理フォーマットに基づく規定の物理フォーマット対応読み出しレートと、
ディスクに記録されたディスクタイプ情報に対応付けられたディスクタイプ対応読み出しレートを取得し、
前記物理フォーマット対応読み出しレートと、前記ディスクタイプ対応読み出しレートが不一致の場合、前記物理フォーマット対応読み出しレートに従ったレートでディスクから読み出したデータをバッファに格納し、前記ディスクタイプ対応読み出しレートに従ったレートで前記バッファから出力し、
前記バッファからの出力データを利用した再生処理を実行する情報処理装置にある。【００２０】
さらに、本開示の第２の側面は、
情報処理装置において実行する情報処理方法であり、
前記情報処理装置は、ディスク記録データの再生処理を実行するデータ処理部を有し、
前記データ処理部は、
ディスクの物理フォーマットに基づく規定の物理フォーマット対応読み出しレートと、
ディスクに記録されたディスクタイプ情報に対応付けられたディスクタイプ対応読み出しレートを取得し、
前記物理フォーマット対応読み出しレートと、前記ディスクタイプ対応読み出しレートが不一致の場合、前記物理フォーマット対応読み出しレートに従ったレートでディスクから読み出したデータをバッファに格納し、前記ディスクタイプ対応読み出しレートに従ったレートで前記バッファから出力し、
前記バッファからの出力データを利用した再生処理を実行する情報処理方法にある。【００２１】
さらに、本開示の第３の側面は、
情報処理装置において情報処理を実行させるプログラムであり、
前記情報処理装置は、ディスク記録データの再生処理を実行するデータ処理部を有し、
前記プログラムは、前記データ処理部に、
ディスクの物理フォーマットに基づく規定の物理フォーマット対応読み出しレートと、
ディスクに記録されたディスクタイプ情報に対応付けられたディスクタイプ対応読み出しレートを取得する処理と、
前記物理フォーマット対応読み出しレートと、前記ディスクタイプ対応読み出しレートが不一致の場合、前記物理フォーマット対応読み出しレートに従ったレートでディスクから読み出したデータをバッファに格納し、前記ディスクタイプ対応読み出しレートに従ったレートで前記バッファから出力する処理と、
前記バッファからの出力データを利用した再生処理を実行させるプログラムにある。【００２２】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００２３】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２４】
本開示の一実施例の構成によれば、ディスクの記録データであるディスクタイプ情報に基づいて決定する態様でデータ再生を行なう。
具体的には、例えば、ディスクの物理フォーマット対応の読み出しレートと、ディスクタイプ対応の読み出しレートを比較し、不一致の場合、物理フォーマット対応レートでディスクから読み出したデータをバッファに格納し、ディスクタイプ対応レートでバッファから出力したデータを利用して再生処理を行なう。物理フォーマットがＢＤ−Ｒ、またはＢＤ−ＲＥ、論理フォーマットがＢＤＭＶ−ＵＨＤ対応の論理フォーマットである場合、バッファを利用したレート変換を伴うエミュレーションモード再生を行なう。
本構成により、ディスクの記録データ構成情報であるディスクタイプ情報に基づいて、ディスクタイプに適合した正しいビットレートを適用した再生処理を行なうことが可能となる。
なお、本明細書に記載された効果はあくまで例示であって限定されるものではなく、また付加的な効果があってもよい。
【図面の簡単な説明】
【００２５】
【図１】規格化が進められているディスクの構成例について説明する図である。
【図２】単一ゾーン型ディスクと、低レートゾーン（ＬＴＲ  ｚｏｎｅ）と、高レートゾーン（ＨＴＲ  ｚｏｎｅ）を持つ複数ゾーン型ディスクの例について説明する図である。
【図３】ＢＤ（Ｂｌｕ−ｒａｙ（登録商標）  Ｄｉｓｃ）に記録されるデータの一構成例について説明する図である。
【図４】情報記録媒体（ディスク）に記録されるデータの対応関係と再生処理例について説明する図である。
【図５】ＢＤ−Ｒディスクの物理フォーマットについて説明する図である。
【図６】ＢＤ−ＲＥディスクの物理フォーマットについて説明する図である。
【図７】本開示の情報処理装置が実行する処理シーケンスについて説明するフローチャートを示す図である。
【図８】物理フォーマット、および論理フォーマットの組み合わせの例について説明する図である。
【図９】ディスクに記録されたインデックステーブルのデータ構成について説明する図である。
【図１０】ディスクタイプの設定値と対応データの例について説明する図である。
【図１１】本開示の情報処理装置が実行する処理シーケンスについて説明するフローチャートを示す図である。
【図１２】本開示の情報処理装置が実行するビットレート変換処理について説明する図である。
【図１３】ディスクの再生装置、記録装置、あるいは情報記録媒体製造装置として適用可能な情報処理装置のハードウェア構成例について説明する図である。
【発明を実施するための形態】
【００２６】
以下、図面を参照しながら本開示の情報処理装置、および情報処理方法、並びにプログラムの詳細について説明する。なお、説明は以下の項目に従って行なう。
１．超高精細（ＵＨＤ：Ｕｌｔｒａ  Ｈｉｇｈ  Ｄｅｆｉｎｉｔｉｏｎ）画像対応のディスク構成例について
２．ディスクの記録データと再生処理例について
３．ＵＨＤコンテンツを書き換え可能ディスクに記録して再生する場合の問題点について
４．ＵＨＤコンテンツを書き換え可能ディスクに記録し、正常なコンテンツ再生を実現する構成について
５．エミュレーションモードを適用した再生処理について
６．情報処理装置の実行する処理のまとめ
７．情報処理装置の構成例について
８．本開示の構成のまとめ
【００２７】
［１．超高精細（ＵＨＤ：Ｕｌｔｒａ  Ｈｉｇｈ  Ｄｅｆｉｎｉｔｉｏｎ）画像対応のディスク構成例について］
まず、超高精細（ＵＨＤ：Ｕｌｔｒａ  Ｈｉｇｈ  Ｄｅｆｉｎｉｔｉｏｎ）画像対応のディスク構成例について説明する。
先に説明したように、ＢＤ（Ｂｌｕ−ｒａｙ（登録商標）  Ｄｉｓｃ）の超高精細画像（ＵＨＤ画像）データ記録態様については、現在、ＢＤＡ（Ｂｌｕ−ｒａｙ（登録商標）  Ｄｉｓｃ  Ａｓｓｏｃｉａｔｉｏｎ）において規格化が進められている。
現在、策定中の規格においては、様々な異なるタイプのディスクを併用する案が有力となっている。
【００２８】
具体的には、以下の２つの異なるタイプのディスクを併用する案が有力である。
（Ａ）ディスク外周領域と内周領域で異なる読み出しレートのデータ記録領域を設定した複数ゾーン設定ディスク
（Ｂ）ディスクの全ての領域で単一の読み出しレートのデータ記録領域を設定した単一ゾーン設定ディスク
【００２９】
図１を参照して、規格化が進められているディスクの構成例について説明する。
図１は、現在、規格として認められつつある（１）〜（８）の８つのタイプのディスク構成例を説明する図である。
図１には、（１）〜（８）の８つのタイプの各々について、以下の各データを示している。
（ａ）ディスク容量（ＧＢ（ギガバイト））
（ｂ）最大ＴＳ記録レート（Ｍａｘｉｍｕｍ  ＭＰＥＧ−２  ｔｒａｎｓｐｏｒｔ  ｓｔｒｅａｍ  ｂｉｔｒａｔｅ（Ｍｂｐｓ（メガビット／秒）））
【００３０】
なお、図１中に示す（５），（８）のタイプは、ディスク面の内周部と外周部で異なる最大記録レートを設定した２ゾーン型ディスクである。
ディスク内周部のＬＴＲ（Ｌｏｗ  Ｔｒａｎｓｆｅｒ  Ｒａｔｅ）ゾーンは、相対的に低い記録レートによるデータ記録がなされ、データ読み出しの際にも、低い読み出しレートでデータ読み出しが行われるディスク領域（ゾーン）である。
また、ディスク外周部のＨＴＲ（Ｈｉｇｈ  Ｔｒａｎｓｆｅｒ  Ｒａｔｅ）ゾーンは、相対的に高い記録レートによるデータ記録がなされた領域であり、相対的に高い読み出しレートでデータ読み出しが行われるディスク領域（ゾーン）である。
【００３１】
ディスク（１）は、以下の構成を持つディスクである。
（ａ）ディスク容量＝５０ＧＢ、
（ｂ）最大ＴＳ記録レート＝６４Ｍｂｐｓ
ディスク（２）は、以下の構成を持つディスクである。
（ａ）ディスク容量＝５０ＧＢ、
（ｂ）最大ＴＳ記録レート＝８１．７Ｍｂｐｓ
【００３２】
ディスク（３）は、以下の構成を持つディスクである。
（ａ）ディスク容量＝６６ＧＢ、
（ｂ）最大ＴＳ記録レート＝８１．７Ｍｂｐｓ
ディスク（４）は、以下の構成を持つディスクである。
（ａ）ディスク容量＝６６ＧＢ、
（ｂ）最大ＴＳ記録レート＝１０９Ｍｂｐｓ
【００３３】
ディスク（５）は、ゾーン単位で２種類の最大記録レートが設定された２ゾーン型ディスクであり、以下の構成を持つディスクである。
（ａ）ディスク容量＝６６ＧＢ、
（ｂ１）ＬＴＲゾーンの最大ＴＳ記録レート＝１０９Ｍｂｐｓ、
（ｂ２）ＨＴＲゾーンの最大ＴＳ記録レート＝１２７Ｍｂｐｓ、
【００３４】
ディスク（６）は、以下の構成を持つディスクである。
（ａ）ディスク容量＝１００ＧＢ、
（ｂ）最大ＴＳ記録レート＝８１．７Ｍｂｐｓ
ディスク（７）は、以下の構成を持つディスクである。
（ａ）ディスク容量＝１００ＧＢ、
（ｂ）最大ＴＳ記録レート＝１０９Ｍｂｐｓ
【００３５】
ディスク（８）は、ゾーン単位で２種類の最大記録レートが設定された２ゾーン型ディスクであり、以下の構成を持つディスクである。
（ａ）ディスク容量＝１００ＧＢ、
（ｂ１）ＬＴＲゾーンの最大ＴＳ記録レート＝１０９Ｍｂｐｓ、
（ｂ２）ＨＴＲゾーンの最大ＴＳ記録レート＝１２７Ｍｂｐｓ、
【００３６】
図１（１）〜（４）、（６）〜（７）に示す単一ゾーン型ディスクと、図１（５），（８）に示す低レートゾーン（ＬＴＲ  ｚｏｎｅ）と、高レートゾーン（ＨＴＲ  ｚｏｎｅ）を持つ２ゾーン型ディスクの例について、図２を参照して説明する。
【００３７】
図２（Ａ）は、図１（１）〜（４）、（６）〜（７）に示す単一ゾーン型ディスクの構成例を示している。
図２（Ｂ）は、図１（５），（８）に示す低レートゾーン（ＬＴＲ  ｚｏｎｅ）と、高レートゾーン（ＨＴＲ  ｚｏｎｅ）を持つ２ゾーン型ディスクの構成例を示している。
【００３８】
図２（Ａ）に示す単一ゾーン型ディスクは、ディスクのデータ記録面全体が、単一の最大記録レートを持つ単一レートゾーン１１１によって構成される。
図１（１）の５０ＧＢディスクの場合、この単一レートゾーン１１１には、最大記録レート＝６４Ｍｂｐｓのデータが記録される。
また、図１（２）の５０ＧＢディスク、または（３）の６６ＧＢディスク、または（６）の１００ＧＢディスクの場合、この単一レートゾーン１１１には、最大記録レート＝８１．７Ｍｂｐｓのデータが記録される。
また、図１（４）の６６ＧＢディスク、または（７）の１００ＧＢディスクの場合、この単一レートゾーン１１１には、最大記録レート＝１０９Ｍｂｐｓのデータが記録される。
【００３９】
図２（Ｂ）に示す複数ゾーン型ディスクは、ディスクのデータ記録面の内周部に低レートゾーン（ＬＴＲ  ｚｏｎｅ）１２１が設定され、外周部に高レートゾーン（ＨＴＲ  ｚｏｎｅ）１２２が設定されたディスクである。
【００４０】
ディスクが一定速度、例えば５０００ｒｐｍで回転する場合、データ再生を実行する情報処理装置（再生装置）は、ディスク内周部に比較して外周部の方がより長いデータ記録領域からデータ読み取りを行うことが可能となる。すなわち、読み出しレートを高く設定することが可能となる。
ディスク内周部では、単位時間当たりのデータ読み出し可能な長さが外周部に比較して短くなるため、読み出しレートが低下し、高いレートでのデータ読み出しが困難になる。
一方、ディスク外周部では、単位時間当たりのデータ読み出し可能な長さが内周部に比較して長くなるため、読み出しレートを上昇させることが可能となり、高いレートでのデータ読み出しが実現される。
これが、ディスク外周部にのみ、高読み出しレートゾーン（ＨＴＲ  ｚｏｎｅ）を設定している理由である。
【００４１】
図２（Ｂ）のように、高レートゾーン（ＨＴＲ  ｚｏｎｅ）１２２を設定することで、ディスクのデータ記録総容量を大きくすることが可能となり、長時間の超高精細（ＵＨＤ）画像の記録が可能となる。
【００４２】
図１（５）の６６ＧＢディスク、または（８）の１００ＧＢディスクの場合、低レートゾーン１２１には、最大記録レート＝１０９Ｍｂｐｓのデータ、高レートゾーン１２２には、最大記録レート＝１２７．９Ｍｂｐｓのデータが記録される。
なお、データ再生を実行する情報処理装置（再生装置）は、各ゾーンにおいて、最大読み出しレートが異なる設定でデータ読み出しを実行する。
【００４３】
［２．ディスクの記録データと再生処理例について］
ディスクには、再生対象データとなる画像、音声、字幕等のデータの他、これらの再生処理に適用する再生制御情報ファイル、管理情報ファイル等、様々なデータが記録される。
例えば、映画等のコンテンツを記録したディスクには、再生対象データとなる画像、音声、字幕等のデータを格納したＴＳ（Ｔｒａｎｓｐｏｒｔ  Ｓｔｒｅａｍ）パケットによって構成されるクリップＡＶストリームファイルが記録される。
【００４４】
さらに、クリップＡＶストリームファイルに対応して設定される制御ファイルであるクリップ情報ファイルや、プレイリストファイル、さらに、再生プログラムを格納したムービーオブジェクトファイル、コンテンツタイトル情報等を記録したインデックスファイル、さらにコンテンツの復号に適用する鍵を格納した暗号鍵ファイル、その他の様々な管理情報ファイルが記録される。
【００４５】
図３を参照して、ＢＤ（Ｂｌｕ−ｒａｙ（登録商標）  Ｄｉｓｃ）に記録されるデータの一構成例について説明する。
図３は、例えばＲＯＭ型ＢＤであるＢＤ−ＲＯＭや、ＢＤ−ＵＨＤ−ＲＯＭとしての情報記録媒体（ディスク）２００に記録されたＢＤＭＶフォーマットに従った記録データのディレクトリを示す図である。
【００４６】
ディレクトリは図３に示すように管理情報設定部２０１（ＡＡＣＳディレクトリ）と、データ部２０２（ＢＤＭＶディレクトリ）に分離されている。
管理情報設定部２０１（ＡＡＣＳディレクトリ）には、データの暗号化鍵であるＣＰＳユニットキーファイルや利用制御情報ファイルなどが格納される。
【００４７】
一方、データ部２０２のＢＤＭＶディレクトリ以下には、
インデックスファイル、
ムービーオブジェクトファイル、
プレイリストファイル、
クリップ情報ファイル、
クリップＡＶストリームファイル、
ＢＤＪＯファイル、
例えば、これらのファイルが記録される。
【００４８】
インデックスファイルには、再生処理に適用するインデックス情報としてのタイトル情報などが格納される。
ムービーオブジェクトファイルは、タイトルによって指定される再生プログラムを格納している。
プレイリストファイルは、タイトルによって指定される再生プログラムのプログラム情報に従ったコンテンツの再生順等を規定したファイルであり、再生位置情報を持クリップ情報に対する指定情報を有する。
クリップ情報ファイルは、プレイリストファイルによつて指定されるファイルであり、クリップＡＶストリームファイルの再生位置情報等を有する。
クリップＡＶストリームファイルは、再生対象となるＡＶストリームデータを格納したファイルである。
ＢＤＪＯファイルは、ＪＡＶＡ（登録商標）プログラム、コマンド等を格納したファイルの実行制御情報を格納したファイルである。
【００４９】
情報処理装置が情報記録媒体に記録されたコンテンツを再生するシーケンスは以下の通りである。
（ａ）まず、再生アプリケーションによってインデックスファイルから特定のタイトルを指定する。
（ｂ）指定されたタイトルに関連付けられた再生プログラムが選択される。
（ｃ）選択された再生プログラムのプログラム情報に従ってコンテンツの再生順等を規定したプレイリストが選択される。
（ｄ）選択されたプレイリストに規定されたクリップ情報によって、コンテンツ実データとしてのＡＶストリームあるいはコマンドが読み出されて、ＡＶストリームの再生や、コマンドの実行処理が行われる。
【００５０】
図４は、情報記録媒体（ディスク）２００に記録される以下のデータ、すなわち、
プレイリストファイル、
クリップ情報ファイル、
クリップＡＶストリームファイル、
これらのデータの対応関係を説明する図である。
【００５１】
実際の再生対象データである画像と音声データからなるＡＶストリームはクリップＡＶストリーム（Ｃｌｉｐ  ＡＶ  Ｓｔｒｅａｍ）ファイルとして記録され、さらに、これらのＡＶストリームの管理情報、再生制御情報ファイルとして、プレイリスト（ＰｌａｙＬｉｓｔ）ファイルと、クリップ情報（Ｃｌｉｐ  Ｉｎｆｏｒｍａｔｉｏｎ）ファイルが規定される。
【００５２】
これら複数のカテゴリのファイルは、図４に示すように、
プレイリスト（ＰｌａｙＬｉｓｔ）ファイルを含むプレイリストレイヤ、
クリップＡＶストリーム（Ｃｌｉｐ  ＡＶ  Ｓｔｒｅａｍ）ファイルと、クリップ情報（Ｃｌｉｐ  Ｉｎｆｏｒｍａｔｉｏｎ）ファイルからなるクリップレイヤ、
これらの２つのレイヤに区分できる。
【００５３】
なお、一つのクリップＡＶストリーム（Ｃｌｉｐ  ＡＶ  Ｓｔｒｅａｍ）ファイルには一つのクリップ情報（Ｃｌｉｐ  Ｉｎｆｏｒｍａｔｉｏｎ）ファイルが対応付けられ、これらのペアを一つのオブジェクトと考え、これらをまとめてクリップ（Ｃｌｉｐ）と呼ぶ場合もある。
クリップＡＶストリームファイルに含まれるデータの詳細情報、例えばＭＰＥＧデータのＩピクチャ位置情報などを記録したＥＰマップなどの管理情報がクリップ情報ファイルに記録される。
【００５４】
クリップＡＶストリーム（Ｃｌｉｐ  ＡＶ  Ｓｔｒｅａｍ）ファイルは、ＭＰＥＧ−２ＴＳ（トランスポートストリーム）をＢＤＭＶフォーマットの規定構造に従って配置したデータを格納している。
【００５５】
また、クリップ情報（Ｃｌｉｐ  Ｉｎｆｏｒｍａｔｉｏｎ）ファイルには、例えば、クリップＡＶストリームファイルのバイト列データのデータ位置と、時間軸上に展開した場合の再生開始ポイントである（エントリポイント：ＥＰ）等の再生時間位置等の対応データ等、クリップＡＶストリームファイルの格納データの再生開始位置などを取得するための管理情報が格納される。
【００５６】
例えば、コンテンツの開始点からの再生時間経過位置を示すタイムスタンプが与えられた時、クリップ情報ファイルを参照して、クリップＡＶストリームファイルのデータ読み出し位置、すなわち再生開始点としてのアドレスを取得することが可能となる。
【００５７】
プレイリスト（ＰｌａｙＬｉｓｔ）ファイルは、クリップ（＝クリップ情報ファイル＋クリップＡＶストリームファイル）レイヤに含まれる再生可能データに対する再生区間の指定情報を有する。
プレイリスト（ＰｌａｙＬｉｓｔ）ファイルには、１つ以上のプレイアイテム（ＰｌａｙＩｔｅｍ）が設定され、プレイアイテムの各々が、クリップ（＝クリップ情報ファイル＋クリップＡＶストリームファイル）レイヤに含まれる再生可能データに対する再生区間の指定情報を有する。
【００５８】
なお、再生対象となる画像や音声の実データを格納したクリップＡＶストリーム（Ｃｌｉｐ  ＡＶ  Ｓｔｒｅａｍ）ファイルは、ＭＰＥＧ−２トランスポートストリーム（ＴＳ：Ｔｒａｎｓｐｏｒｔ  ｓｔｒｅａｍ）ファイル構造を持つ。
【００５９】
［３．ＵＨＤコンテンツを書き換え可能ディスクに記録して再生する場合の問題点について］
次に、例えば、ＢＤ−ＵＨＤ−ＲＯＭディスクに記録するＵＨＤコンテンツをＢＤ−ＲディスクやＢＤ−ＲＥディスク等のデータ書き換え可能型ディスクに記録して再生する場合の問題点について説明する。
【００６０】
先に説明したように、映画等のコンテンツを記録したＢＤ−ＵＨＤ−ＲＯＭディスクを製造する場合、ディスクに記録されたコンテンツが正常に再生されるか否かの再生試験を行うことが必要となる。
この再生試験において、正常再生が確認された後、ＲＯＭディスクの大量生産に移行する。
【００６１】
しかし、例えばある１つのＵＨＤコンテンツを記録したＢＤ−ＵＨＤ−ＲＯＭディスクを製造するためには、コンテンツ固有の金型、スタンパを製造することが必要であり、時間とコストがかかるという問題がある。
そこで、ＢＤ−ＵＨＤ−ＲＯＭディスクに記録する予定のＵＨＤコンテンツを、データ書き換え可能なＢＤ−Ｒディスク、またはＢＤ−ＲＥディスク等に書き込む。これらのデータ書き換え可能ディスクを用いてＵＨＤコンテンツが正常に再生されるか否かの再生試験を行う。
【００６２】
この処理により、再生試験に要するコストや時間を削減することができる。
データ書き換え可能なＢＤ−Ｒディスク、またはＢＤ−ＲＥディスクを利用することで、再生エラーが発生した場合でも、修正コンテンツを、再度、ＢＤ−Ｒディスク、またはＢＤ−ＲＥディスクに書き込み、繰り返し、修正コンテンツの再生試験が行えるからである。
【００６３】
しかし、前述したように、ＢＤ−ＵＨＤ−ＲＯＭディスクは、独自の物理フォーマット、および独自の論理フォーマットを有する。
この独自フォーマットのデータを現行のＢＤ−Ｒ／ＢＤ−ＲＥディスクに記録した場合、再生処理が正常に行われる保証がない。
【００６４】
すなわち、ＢＤ−Ｒディスク、またはＢＤ−ＲＥディスクに対して、ＢＤ−ＵＨＤ−ＲＯＭディスクに記録するＵＨＤコンテンツをコピー記録した場合、再生装置は、ＢＤ−Ｒディスク、またはＢＤ−ＲＥディスクの物理フォーマットおよび論理フォーマットに従った再生処理を行なう。
しかし、この再生処理は、ＢＤ−ＵＨＤ−ＲＯＭディスク対応の物理フォーマットや論理フォーマットに従った再生処理と異なる処理となり、結果としてコンテンツの正常再生がなされないことになる。
【００６５】
例えば、ＢＤ−ＵＨＤ−ＲＯＭディスク対応の論理フォーマットとして規定されるデータ読み取りビットレートは、ＢＤ−Ｒディスク、またはＢＤ−ＲＥディスク対応の論理フォーマットとして規定される読み取りビットレートとは異なる。
再生装置が、ＢＤ−Ｒディスク、またはＢＤ−ＲＥディスク対応の読み取りビットレートで、これらのディスクに記録されたＵＨＤコンテンツを読み取って再生しても、正常再生ができない。
【００６６】
ＢＤ−ＵＨＤ−ＲＯＭ記録コンテンツを正常に再生するためには、そのＢＤ−ＵＨＤ−ＲＯＭ記録コンテンツに応じた読み出しビットレートに従った再生を行なうことが必要となる。
【００６７】
なお、この問題は、ＢＤ−ＵＨＤ−ＲＯＭディスクの製造時の再生試験時のみならず、例えば一般ユーザの再生装置においても発生する問題である。
すなわち、ＢＤ−ＵＨＤ−ＲＯＭディスクの記録データをＢＤ−Ｒディスク、またはＢＤ−ＲＥディスクにコピーし、ＢＤ−Ｒディスク、またはＢＤ−ＲＥディスクからコピーデータを再生しようとした場合に、やはり、ＵＨＤコンテンツの正常再生ができないという問題が発生する。
【００６８】
後段では、この問題点を解決する構成、すなわち、例えばＢＤ−ＵＨＤ−ＲＯＭディスクの記録（用）ＵＨＤコンテンツをＢＤ−ＲディスクやＢＤ−ＲＥディスク等のデータ書き換え可能型ディスクに記録し、正常に再生する処理を可能とした構成について説明する。
【００６９】
前述したように、ＢＤ−ＵＨＤ−ＲＯＭディスクは、独自の物理フォーマット、および独自の論理フォーマットを有する。
なお、物理フォーマットとは、例えば、ディスクの記録層構成、記録容量、記録ビットレートなどのフォーマットであり、ＢＤ−ＵＨＤ−ＲＯＭには複数の異なる物理フォーマットの利用が予定されている。これらの具体的例については、先に図１、図２を参照して説明した通りである。
【００７０】
一方、論理フォーマットは、例えば、ディスクに対するデータ記録処理または再生処理に適用するファイルシステムやアプリケーション固有のフォーマットであり、例えば、ディスク上の各データファイルの配列や、記録や読み出しのデータ単位等の規定が含まれる。
【００７１】
ＢＤ−ＵＨＤ−ＲＯＭからのデータ再生処理を実行する再生装置は、ＢＤ−ＵＨＤ−ＲＯＭディスクに対応する独自の物理フォーマット、および独自の論理フォーマットを解釈し、これらのフォーマット対応の再生シーケンスを適用して再生処理を実行することで正常な再生処理を行なうことが可能となる。
【００７２】
しかし、ＢＤ−ＵＨＤ−ＲＯＭに対する記録データをＢＤ−Ｒディスクや、ＢＤ−ＲＥ等、ＢＤ−ＵＨＤ−ＲＯＭと異なる物理フォーマットを持つディスクに記録した場合、再生装置は、装着ディスクの物理フォーマット、および論理フォーマットに応じた再生処理を実行することになり、正常なＵＨＤコンテンツの再生ができなくなる可能性がある。
【００７３】
図５、図６にＢＤ−Ｒ、およびＢＤ−ＲＥの物理フォーマットの例を示す。
図５は、ＢＤ−Ｒの物理フォーマットの例である。
図６は、ＢＤ−ＲＥの物理フォーマットの例である。
【００７４】
各図には、以下の各規定情報を示している。
（ａ）容量（Ｃａｐａｃｉｔｙ）
（ｂ）ＬＤ（レーザダイオード）波長（Ｗａｖｅｌｅｎｇｔｈ  ｏｆ  ｌａｓｅｒ  ｄｉｏｄｅ）
（ｃ）レンズ特性（Ｎ．Ａ．  ｏｆ  ｏｂｊｅｃｔｉｖｅ  ｌｅｎｓ）
（ｄ）カバーレイヤ構成（Ｃｏｖｅｒ  Ｌａｙｅｒ  ｔｈｉｃｋｎｅｓｓ）
（ｅ）レイヤ単位容量（Ｃａｐａｃｉｔｙ  ｐｅｒ  ｌａｙｅｒ）
（ｆ）トラックフォーマット（Ｔｒａｃｋ  ｆｏｒｍａｔ）
（ｇ）アドレス方法（Ａｄｒｅｓｓ  ｍｅｔｈｏｄ）
（ｈ）回転（Ｒｏｔａｔｉｏｎ）
（ｉ）トラックピッチ（Ｔｒａｃｋ  Ｐｉｔｃｈ）
（ｊ）チャンネル変調（Ｃｈａｎｎｅｌ  ｍｏｄｕｌａｔｉｏｎ）
（ｋ）最小マーク長（Ｍｉｎｉｍｕｍ  Ｍａｒｋ  Ｌｅｎｇｔｈ）
（ｌ）トータル効率（Ｔｏｔａｌ  ｅｆｆｉｃｉｅｎｃｙ）
（ｍ）ユーザデータ転送レート（Ｕｓｅｒ  Ｄａｔａ  ｔｒａｎｓｆｅｒ  ｒａｔｅ）
（ｎ）信号品質評価インデックス（Ｅｖａｌｕａｔｉｏｎ  ｉｎｄｅｘ  ｆｏｒ  ｓｉｇｎａｌ  ｑｕａｌｉｔｙ）
（ｏ）記録スピード（Ｗｒｉｔｅ  ｓｐｅｅｄ  ｆｏｒ  ｍｅｄｉａ）
【００７５】
情報処理装置（再生装置や記録装置）にＢＤ−Ｒメディアが装着された場合、情報処理装置は、装着メディアの内周領域に設定された物理管理情報記録領域の記録データに基づいて、装着メディアがＢＤ−Ｒメディアであることを確認する。
情報処理装置は、この確認に基づいて、図５に示す物理フォーマットに従ってＢＤ−Ｒメディアからのデータ再生、またはＢＤ−Ｒメディアに対するデータ記録を行う。
この場合、通常は、ＢＤ−Ｒメディア対応の物理フォーマットおよび論理フォーマットに従ったデータ再生や記録処理を行なう。
【００７６】
また、情報処理装置（再生装置や記録装置）にＢＤ−ＲＥメディアが装着された場合、情報処理装置は、装着メディアの内周領域に設定された物理管理情報記録領域の記録データに基づいて、装着メディアがＢＤ−ＲＥメディアであることを確認する。
情報処理装置は、この確認に基づいて、図６に示す物理フォーマットに従ってＢＤ−ＲＥメディアからのデータ再生、またはＢＤ−ＲＥメディアに対するデータ記録を行う。
この場合、通常は、ＢＤ−ＲＥメディア対応の物理フォーマットおよび論理フォーマットに従ったデータ再生や記録処理を行なう。
【００７７】
例えば、ＢＤ−ＵＨＤ−ＲＯＭディスクの記録データをＢＤ−Ｒディスクや、ＢＤ−ＲＥディスクにコピーして記録する場合、例えば図５、図６に示すＢＤ−Ｒディスクや、ＢＤ−ＲＥディスクの物理フォーマットに従ってＵＨＤデータが記録される。
しかし、データ配列等のフォーマットは、ＢＤ−ＵＨＤ−ＲＯＭ対応の独自の論理フォーマットのままである。
【００７８】
さらに、ＢＤ−Ｒディスクや、ＢＤ−ＲＥディスクにコピーされたデータを再生する場合、再生処理を実行する情報処理装置は、装着されたディスクがＢＤ−Ｒディスク、またはＢＤ−ＲＥディスクである場合、そこに記録されたデータがＢＤ−ＵＨＤ−ＲＯＭ対応の論理フォーマットに従ったデータであっても、ＢＤ−Ｒディスク、またはＢＤ−ＲＥディスク対応の論理フォーマットデータであるものと判断して再生を行なってしまう。この場合、ＵＨＤデータの正常再生ができず、再生エラーを発生させてしまうことになる。
【００７９】
［４．ＵＨＤコンテンツを書き換え可能ディスクに記録し、正常なコンテンツ再生を実現する構成について］
次に、例えば、ＢＤ−ＵＨＤ−ＲＯＭディスクに記録するＵＨＤコンテンツをＢＤ−ＲディスクやＢＤ−ＲＥディスク等のデータ書き換え可能型ディスクに記録して再生する場合に、正常なＵＨＤコンテンツの再生を可能とした構成について説明する。
【００８０】
図７は、本開示の情報処理装置が実行するディスク記録コンテンツの再生シーケンスを説明するフローチャートである。
図７に示すフローチャートは、様々な種類のディスクを装着してディスク記録コンテンツを再生する情報処理装置の実行する処理シーケンスを説明するフローチャートである。
【００８１】
情報処理装置の記憶部には、図７に示すフローに従った処理を実行する再生アプリケーション等のプログラムが格納されている。
情報処理装置は、プログラム（再生アプリケーション）実行機能を有するＣＰＵ等からなるデータ処理部において、このプログラム（再生アプリケーション）を実行して図７に示すフローに従った処理を実行する。
以下、図７に示すフローの各ステップの処理について、順次、説明する。
【００８２】
（ステップＳ１０１）
まず、情報処理装置は、ディスクを装着する。
装着ディスクは、様々な異なるタイプのディスクが想定される。
具体的には、複数の異なる物理フォーマットと論理フォーマットとの組み合わせを持つ様々な種類のディスクが想定される。
【００８３】
具体的な物理フォーマットとして、例えば以下の物理フォーマットがある。
（１）ＢＤ−ＵＨＤ−ＲＯＭ
（２）ＢＤ−ＲＯＭ
（３）ＢＤ−Ｒ
（４）ＢＤ−ＲＥ
（５）その他（ＤＶＤ等）
また、具体的な論理フォーマットとして、以下の論理フォーマットがある。
（１）ＢＤＭＶ−ＵＨＤ
（２）ＢＤＭＶ
（３）その他（ＢＤＡＶ等）
【００８４】
これらの複数の異なる物理フォーマットと論理フォーマットとの組み合わせを持つディスクの例として、具体的には、例えば、図８に示す異なるタイプのディスクが想定される。
図８には、情報処理装置に装着されるディスクの代表的な以下の９種類のディスクの例を示している。
（１）物理フォーマット＝ＢＤ−ＵＨＤ−ＲＯＭ、論理フォーマット＝ＢＤＭＶ−ＵＨＤ
（２）物理フォーマット＝ＢＤ−ＲＯＭ、論理フォーマット＝ＢＤＭＶ
（３）物理フォーマット＝ＢＤ−Ｒ、論理フォーマット＝ＢＤＭＶ−ＵＨＤ
（４）物理フォーマット＝ＢＤ−Ｒ、論理フォーマット＝ＢＤＭＶ
（５）物理フォーマット＝ＢＤ−Ｒ、論理フォーマット＝その他（ＢＤＡＶ等）
（６）物理フォーマット＝ＢＤ−ＲＥ、論理フォーマット＝ＢＤＭＶ−ＵＨＤ
（７）物理フォーマット＝ＢＤ−ＲＥ、論理フォーマット＝ＢＤＭＶ
（８）物理フォーマット＝ＢＤ−ＲＥ、論理フォーマット＝その他（ＢＤＡＶ等）
（９）物理フォーマット＝その他（ＤＶＤ等）、論理フォーマット＝その他
例えば、情報処理装置には、これらの９種類のディスクのいずれかが装着される。
【００８５】
（ステップＳ１０２）
情報処理装置は、ステップＳ１０２において、装着ディスクの物理フォーマットを識別する。
この識別処理は、装着ディスクの内周領域に記録された管理情報を読み取って行う。あるいは、データ読み取り用の光学ヘッダ（ＬＤ：レーザダイオード）によるスポット光の試験的照射によるデータ読み取り可否判定等によって、物理フォーマットを判定するなど、既存の様々な手法を適用して物理フォーマットの判定処理が行われる。
【００８６】
このステップＳ１０２の物理フォーマットの識別処理により、情報処理装置に装着されたディスクが、以下の何れの種類の物理フォーマットを持つであるかが識別される。
（１）ＢＤ−ＵＨＤ−ＲＯＭ
（２）ＢＤ−ＲＯＭ
（３）ＢＤ−Ｒ
（４）ＢＤ−ＲＥ
（５）その他（ＤＶＤ等）
【００８７】
（ステップＳ１０３）
次に、情報処理装置は、装着ディスクの論理フォーマットを識別する。
この識別処理は、例えば、装着ディスクに記録された管理情報から記録データのディレクトリ情報を解析する処理などによって実行される。この論理フォーマット判定処理も、既存の様々な手法を適用して行われる。
【００８８】
このステップＳ１０３の論理フォーマットの識別処理により、情報処理装置に装着されたディスクが、以下の何れの論理フォーマットを持つディスクであるかが識別される。
（１）ＢＤＭＶ−ＵＨＤ
（２）ＢＤＭＶ
（３）その他（ＢＤＡＶ等）
【００８９】
（ステップＳ１０４）
ステップＳ１０４以下の処理は、ステップＳ１０２〜Ｓ１０３において識別された装着ディスクの物理フォーマットと論理フォーマットに従って、異なる再生処理を実行するための分岐処理である。
まず、ステップＳ１０４において、装着ディスクの物理フォーマットに従った分岐処理が実行される。
【００９０】
（ａ）装着ディスクの物理フォーマットが、ＢＤ−ＵＨＤ−ＲＯＭ対応の物理フォーマットであると判定した場合は、ステップＳ１１１に進む。
（ｂ）装着ディスクの物理フォーマットが、ＢＤ−ＲＯＭ対応の物理フォーマットであると判定した場合は、ステップＳ１２１に進む。
（ｃ）装着ディスクの物理フォーマットが、ＢＤ−Ｒ、または、ＢＤ−ＲＥ対応の物理フォーマットであると判定した場合は、ステップＳ１３１に進む。
（ｄ）装着ディスクの物理フォーマットが、ＤＶＤ等、その他の物理フォーマットであると判定した場合は、ステップＳ１４１に進む。
【００９１】
（ステップＳ１１１）
ステップＳ１０４における装着ディスクの物理フォーマットの判定処理において、上記（ａ）の判定処理、すなわち、
（ａ）装着ディスクの物理フォーマットが、ＢＤ−ＵＨＤ−ＲＯＭ対応の物理フォーマットであると判定した場合は、ステップＳ１１１に進む。
ステップＳ１１１では、ステップＳ１０３で識別された装着ディスクの論理フォーマットがＢＤＭＶ−ＵＨＤであるか否かを判定する。
【００９２】
ステップＳ１０３で識別された装着ディスクの論理フォーマットがＢＤＭＶ−ＵＨＤである場合は、ステップＳ１１２に進む。
この場合は、装着ディスクが、以下のフォーマット組み合わせの設定である。
物理フォーマット＝ＢＤ−ＵＨＤ−ＲＯＭ
論理フォーマット＝ＢＤＭＶ−ＵＨＤ
【００９３】
一方、ステップＳ１０３で識別された装着ディスクの論理フォーマットがＢＤＭＶ−ＵＨＤでない場合は、ステップＳ１１３に進む。
この場合は、装着ディスクが、以下のフォーマット組み合わせの設定である。
物理フォーマット＝ＢＤ−ＵＨＤ−ＲＯＭ
論理フォーマット＝ＢＤＭＶ−ＵＨＤ以外の論理フォーマット
【００９４】
（ステップＳ１１２）
ステップＳ１１２に進む場合は、装着ディスクが、以下のフォーマット組み合わせの設定である。
物理フォーマット＝ＢＤ−ＵＨＤ−ＲＯＭ
論理フォーマット＝ＢＤＭＶ−ＵＨＤ
情報処理装置は、このフォーマットの組み合わせのディスクが装着されたと判定した場合は、ステップＳ１１２において、装着ディスクの記録データの再生を実行する。
すなわち、通常再生モードで、物理フォーマット＝ＢＤＭＶ−ＵＨＤ−ＲＯＭから、論理フォーマット＝ＢＤＭＶ−ＵＨＤに従って記録されたデータを再生する。
再生処理には、論理フォーマット＝ＢＤＭＶ−ＵＨＤに従ったデータを再生するＢＤＭＶ−ＵＨＤ論理フォーマットデータ対応の再生アプリケーションが利用される。
【００９５】
（ステップＳ１１３）
ステップＳ１１３に進む場合は、装着ディスクが、以下のフォーマット組み合わせの設定である。
物理フォーマット＝ＢＤ−ＵＨＤ−ＲＯＭ
論理フォーマット＝ＢＤＭＶ−ＵＨＤ以外の論理フォーマット
情報処理装置は、このフォーマットの組み合わせのディスクが装着されたと判定した場合は、ステップＳ１１３において、装着ディスクの記録データの再生を行なわず、処理を終了する。
【００９６】
（ステップＳ１２１）
また、ステップＳ１０４における装着ディスクの物理フォーマットの判定処理において、前述した以下の判定処理、すなわち、
（ｂ）装着ディスクの物理フォーマットが、ＢＤ−ＲＯＭ対応の物理フォーマットであると判定した場合は、ステップＳ１２１に進む。
ステップＳ１２１では、ステップＳ１０３で識別された装着ディスクの論理フォーマットがＢＤＭＶであるか否かを判定する。
【００９７】
ステップＳ１０３で識別された装着ディスクの論理フォーマットがＢＤＭＶである場合は、ステップＳ１２２に進む。
この場合は、装着ディスクが、以下のフォーマット組み合わせの設定である。
物理フォーマット＝ＢＤ−ＲＯＭ
論理フォーマット＝ＢＤＭＶ
【００９８】
一方、ステップＳ１０３で識別された装着ディスクの論理フォーマットがＢＤＭＶでない場合は、ステップＳ１２３に進む。
この場合は、装着ディスクが、以下のフォーマット組み合わせの設定である。
物理フォーマット＝ＢＤ−ＲＯＭ
論理フォーマット＝ＢＤＭＶ以外の論理フォーマット
【００９９】
（ステップＳ１２２）
ステップＳ１２２に進む場合は、装着ディスクが、以下のフォーマット組み合わせの設定である。
物理フォーマット＝ＢＤ−ＲＯＭ
論理フォーマット＝ＢＤＭＶ
情報処理装置は、このフォーマットの組み合わせのディスクが装着されたと判定した場合は、ステップＳ１２２において、装着ディスクの記録データの再生を実行する。
すなわち、通常再生モードで、物理フォーマット＝ＢＤＭＶ−ＲＯＭから、論理フォーマット＝ＢＤＭＶに従って記録されたデータを再生する。
再生処理には、論理フォーマット＝ＢＤＭＶに従ったデータを再生するＢＤＭＶ論理フォーマットデータ対応の再生アプリケーションが利用される。
【０１００】
（ステップＳ１２３）
ステップＳ１２３に進む場合は、装着ディスクが、以下のフォーマット組み合わせの設定である。
物理フォーマット＝ＢＤ−ＲＯＭ
論理フォーマット＝ＢＤＭＶ以外の論理フォーマット
情報処理装置は、このフォーマットの組み合わせのディスクが装着されたと判定した場合は、ステップＳ１２３において、装着ディスクの記録データの再生を行なわず、処理を終了する。
【０１０１】
（ステップＳ１３１）
また、ステップＳ１０４における装着ディスクの物理フォーマットの判定処理において、前述した以下の判定処理、すなわち、
（ｃ）装着ディスクの物理フォーマットが、ＢＤ−Ｒ、または、ＢＤ−ＲＥ対応の物理フォーマットであると判定した場合は、ステップＳ１３１に進む。
ステップＳ１３１では、ステップＳ１０３で識別された装着ディスクの論理フォーマットが、以下のいずれであるかを判定する。
（１）ＢＤＭＶ−ＵＨＤ
（２）ＢＤＭＶ
（３）その他（ＢＤＡＶ等）
【０１０２】
ステップＳ１０３で識別された装着ディスクの論理フォーマットが、
（１）ＢＤＭＶ−ＵＨＤ
である場合は、ステップＳ１３２に進む。
この場合は、装着ディスクが、以下のフォーマット組み合わせの設定である。
物理フォーマット＝ＢＤ−Ｒ、または、ＢＤ−ＲＥ
論理フォーマット＝ＢＤＭＶ−ＵＨＤ
【０１０３】
また、ステップＳ１０３で識別された装着ディスクの論理フォーマットが、
（２）ＢＤＭＶ
である場合は、ステップＳ１３３に進む。
この場合は、装着ディスクが、以下のフォーマット組み合わせの設定である。
物理フォーマット＝ＢＤ−Ｒ、または、ＢＤ−ＲＥ
論理フォーマット＝ＢＤＭＶ
【０１０４】
さらに、ステップＳ１０３で識別された装着ディスクの論理フォーマットが、
（３）その他（ＢＤＡＶ等）
である場合は、ステップＳ１３４に進む。
この場合は、装着ディスクが、以下のフォーマット組み合わせの設定である。
物理フォーマット＝ＢＤ−Ｒ、または、ＢＤ−ＲＥ
論理フォーマット＝ＢＤＡＶ等、その他の論理フォーマット（ＢＤＭＶ−ＵＨＤ、ＢＤＭＶ以外の論理フォーマット）
【０１０５】
（ステップＳ１３２）
ステップＳ１３２に進む場合は、装着ディスクが、以下のフォーマット組み合わせの設定である。
物理フォーマット＝ＢＤ−Ｒ、または、ＢＤ−ＲＥ
論理フォーマット＝ＢＤＭＶ−ＵＨＤ
情報処理装置は、このフォーマットの組み合わせのディスクが装着されたと判定した場合は、ステップＳ１３２において、エミュレーションモードで、装着ディスクの記録データの再生を実行する。
【０１０６】
エミュレーションモードは、通常再生モードと異なる再生モードであり、ディスクに記録された物理媒体指示子（ディスクタイプ（ｄｉｓｃ＿ｔｙｐｅ））の設定値を参照し、物理媒体指示子（ディスクタイプ）に対応付けられた規定の読み出しビットレートと、ディスクの物理フォーマットに対応付けられた規定の読み出しビットレートとを比較し、両者が一致する場合と、一致しない場合とで異なる再生処理を実行する再生モードである。
【０１０７】
このエミュレーションモードを適用することで、物理フォーマットが、ＢＤ−Ｒ、または、ＢＤ−ＲＥのディスクに記録されたＢＤＭＶ−ＵＨＤデータの正常な再生処理を行なうことができる。
エミュレーションモードを用いた再生シーケンスについては、後段で詳細に説明する。
【０１０８】
（ステップＳ１３３）
ステップＳ１３３に進む場合は、装着ディスクが、以下のフォーマット組み合わせの設定である。
物理フォーマット＝ＢＤ−Ｒ、または、ＢＤ−ＲＥ
論理フォーマット＝ＢＤＭＶ
情報処理装置は、このフォーマットの組み合わせのディスクが装着されたと判定した場合は、ステップＳ１３３において、通常再生モードで、装着ディスクの記録データの再生を実行する。
【０１０９】
物理フォーマット＝ＢＤ−Ｒ、または、ＢＤ−ＲＥ
論理フォーマット＝ＢＤＭＶ
これらのフォーマットの組み合わせのデータ再生処理については、すでに規格が設定されており、規格準拠の再生プログラムを利用することで、物理フォーマットが、ＢＤ−Ｒ、または、ＢＤ−ＲＥのディスクに記録されたＢＤＭＶデータの正常な再生処理を行なうことができる。
【０１１０】
（ステップＳ１３４）
ステップＳ１３４に進む場合は、装着ディスクが、以下のフォーマット組み合わせの設定である。
物理フォーマット＝ＢＤ−Ｒ、または、ＢＤ−ＲＥ
論理フォーマット＝ＢＤＡＶ等、その他の論理フォーマット（ＢＤＭＶ−ＵＨＤ、ＢＤＭＶ以外の論理フォーマット）
情報処理装置は、このフォーマットの組み合わせのディスクが装着されたと判定した場合は、ステップＳ１３４において、通常再生が可能か否かを判定し、再生可能な場合にのみ再生処理を実行する。
【０１１１】
［５．エミュレーションモードを適用した再生処理について］
次に、図７に示すフローチャートにおけるステップＳ１３２において実行するエミュレーションモードを適用したＵＨＤデータの再生処理について説明する。
【０１１２】
エミュレーションモードは、通常再生モードと異なる再生モードであり、装着ディスクが、以下のフォーマット組み合わせの設定の場合に起動される。
物理フォーマット＝ＢＤ−Ｒ、または、ＢＤ−ＲＥ
論理フォーマット＝ＢＤＭＶ−ＵＨＤ
情報処理装置は、このフォーマットの組み合わせのディスクが装着されたと判定した場合は、エミュレーションモードを起動する。
【０１１３】
エミュレーションモードにおいては、ディスクに記録された物理媒体指示子（ディスクタイプ（ｄｉｓｃ＿ｔｙｐｅ））の設定値を参照し、物理媒体指示子（ディスクタイプ）に対応付けられた規定の読み出しビットレートと、ディスクの物理フォーマットに対応付けられた規定の読み出しビットレートとを比較し、両者が一致する場合と、一致しない場合とで異なる再生処理を実行する。
【０１１４】
このエミュレーションモードを適用することで、物理フォーマットが、ＢＤ−Ｒ、または、ＢＤ−ＲＥのディスクに記録されたＢＤＭＶ−ＵＨＤデータの正常な再生処理を行なうことができる。
【０１１５】
ディスクに記録される物理媒体指示子（ディスクタイプ（ｄｉｓｃ＿ｔｙｐｅ））について、図９、図１０を参照して説明する。
図９は、ディスクに記録されるインデックスファイル内のインデックステーブルの記録データの一部を示す図である。
【０１１６】
インデックステーブルには、例えば、以下のデータが記録される。
（ａ）データ長［ｌｅｎｇｔｈ］
（ｂ）再生開始データの種類情報（３Ｄ画像ｏｒ２Ｄ画像等）［ｉｎｉｔｉａｌ＿ｏｕｔ＿ｍｏｄｅ＿ｐｒｅｆｅｒｅｎｃｅ］
（ｃ）ディスク内の３Ｄ画像データ有無情報［ＳＳ＿ｃｏｎｔｅｎｔ＿ｅｘｉｓｔ＿ｆｌａｇ］
（ｄ）物理媒体識別子（ディスクタイプ）［ｄｉｓｃ＿ｔｙｐｅ］
【０１１７】
なお、図９に示すデータは、インデックステーブルに記録されるデータの一部のみを示しており、インデックステーブルには、これらのデータの他にも様々なデータが記録される。
【０１１８】
図９に示すインデックステーブル記録データ中、
（ｄ）物理媒体識別子（ディスクタイプ）［ｄｉｓｃ＿ｔｙｐｅ］
このデータが、情報記録媒体のタイプ、すなわちディスクタイプの識別情報である。
【０１１９】
ディスクの記録データの再生処理を実行する情報処理装置は、物理媒体識別子（ディスクタイプ）［ｄｉｓｃ＿ｔｙｐｅ］を読み取り、読み取ったディスクタイプの設定値に基づいて、記録データの正常再生に必要となる読み出しビットレートを決定することができる。
すなわち、物理媒体識別子（ディスクタイプ）［ｄｉｓｃ＿ｔｙｐｅ］は、そのディスクのコンテンツ再生に適用すべき読み出しビットレートを規定した情報である。
【０１２０】
再生処理を実行する情報処理装置は、ディスクタイプ設定値と、コンテンツ再生に適用すべき読み出しビットレート等の対応情報を保持しており、この対応情報に基づいて、読み出しビットレートを決定する。
図１０に物理媒体識別子（ディスクタイプ）［ｄｉｓｃ＿ｔｙｐｅ］の具体的な値と、各値に対応付けられた読み出しビットレート等の対応情報の例を示す。
【０１２１】
図１０を参照して、物理媒体識別子（ディスクタイプ）［ｄｉｓｃ＿ｔｙｐｅ］の設定値と、各設定値に対応付けられるデータの例について説明する。
図１０に示すように、例えば、以下のようなディスクタイプ設定値、および対応データがある。
（１）ディスクタイプ＝００１０ｂ
容量＝５０ＧＢ、ゾーン設定＝単一ゾーン、読み出しビットレート＝７１．９Ｍｂｐｓ、最大記録レート＝６４Ｍｂｐｓ、
（２）ディスクタイプ＝００１１ｂ
容量＝５０ＧＢ、ゾーン設定＝単一ゾーン、読み出しビットレート＝９１．９Ｍｂｐｓ、最大記録レート＝８１．７Ｍｂｐｓ、
【０１２２】
（３）ディスクタイプ＝０１００ｂ
容量＝６０ＧＢ、または１００ＧＢ、ゾーン設定＝単一ゾーン、読み出しビットレート＝９１．９Ｍｂｐｓ、最大記録レート＝８１．７Ｍｂｐｓ、
（４）ディスクタイプ＝０１０１ｂ
容量＝６０ＧＢ、または１００ＧＢ、ゾーン設定＝単一ゾーン、読み出しビットレート＝１２２．５Ｍｂｐｓ、最大記録レート＝１０９Ｍｂｐｓ、
【０１２３】
（５）ディスクタイプ＝０１１０ｂ
容量＝６０ＧＢ、または１００ＧＢ、ゾーン設定＝ＬＴＲゾーンと、ＨＴＲゾーンの２ゾーン、
読み出しビットレート（ＬＴＲゾーン）＝１２２．５Ｍｂｐｓ、
読み出しビットレート（ＨＴＲゾーン）＝１４３．９Ｍｂｐｓ、
最大記録レート（ＬＴＲゾーン）＝１０９Ｍｂｐｓ、
最大記録レート（ＨＴＲゾーン）＝１２７．９Ｍｂｐｓ、
【０１２４】
このように、インデックステーブルにはディスクの種類や構成を示す物理媒体識別子（ディスクタイプ）情報を記録され、ディスク記録コンテンツの再生を実行する情報処理装置は、まず、インデックステーブルを読み取り、インデックステーブルに記録された上記のディスクタイプ情報の設定値を取得する。
【０１２５】
情報処理装置は、インデックステーブルに記録されたディスクタイプを示す設定値に従って、ディスク構成や、再生処理に必要となる読み出しビットレート等の再生態様情報を知ることが可能となり、ディスク構成に応じた正確な再生処理を実行することが可能となる。
【０１２６】
このように、ディスクからのデータ再生を実行する再生装置のデータ処理部は、ディスクに記録されたディスクタイプ情報を読み取り、読み取ったディスクタイプ情報に基づいて、ディスクの記録データ構成を把握し、把握した記録データ構成に応じた読み出しレートに従って、データ読み出しおよび再生処理を実行する。
【０１２７】
再生装置は、ディスクタイプ情報に基づいて、
ディスクが、単一の読み出しレートゾーンからなる単一ゾーン型ディスクであるか、
ディスクが、複数の異なる読み出しレートゾーンからなる複数ゾーン型ディスクであるかを判別可能としたゾーン設定情報や、総記録容量情報、さらに読み出しレート等を確認することができる。
【０１２８】
再生装置は、例えば図１０に示すディスクタイプ情報とその対応データを含むテーブルを記憶部に保持しており、このテーブルを参照して、装着ディスクから読み取ったディスクタイプの設定値に基づいて、ディスク構成、および読み出しビットレートとうの情報を得る。再生装置のデータ処理部は、これらの情報を適用して最適な再生アルゴリズムを適用してデータ再生処理を実行する。
【０１２９】
例えば、ディスクが、単一の読み出しレートゾーンからなる単一ゾーン型ディスクである場合は、ディスクの全領域に対して、同一アルゴリズムによるデータ読み出しおよび再生処理を実行する。
また、ディスクが、複数の異なる読み出しレートゾーンからなる複数ゾーン型ディスクである場合は、ディスクの各ゾーン単位で異なるアルゴリズムを適用してデータ読み出しおよび再生処理を実行する。
【０１３０】
次に、図９、図１０を参照して説明したインデックステーブルのディスクタイプ情報を利用して実行するエミュレーションモードに従った再生処理の具体的な処理シーケンスについて、図１１に示すフローチャートを参照して説明する。
図１１は、ディスクに記録されたコンテンツを再生する情報処理装置（再生装置）が実行する処理シーケンスを説明するフローチャートである。
【０１３１】
図１１に示すフローは、再生装置のプログラム実行機能を持つＣＰＵを備えたデータ処理部の制御の下、実行される。実行対象となるプログラムは、再生装置の記憶部に予め格納されたプログラム（再生プログラム）、あるいはディスクに記録されたプログラム（再生アプリケーション）である。
以下、図１１に示すフローの各ステップの処理について説明する。
【０１３２】
（ステップＳ２０１）
情報処理装置は、まず、ステップＳ２０１において、再生対象コンテンツを格納したディスクからコンテンツに併せて記録されたインデックステーブルを読み取る。
ディスクには、例えば先に図３を参照して説明したディレクトリに従ったデータが記録されている。また、図９を参照して説明したディスクタイプ情報を含むインデックステーブルが記録されている。
【０１３３】
ディスクには、再生対象となるクリップＡＶストリームファイルの他、クリップ情報ファイル、プレイリストファイル、ムービーオブジェクトファイル、インデックスファイルなどが記録されている。
情報処理装置は、まず、インデックスファイルを読み取り、インデックスファイル内に格納されたインデックステーブルを読み取る。
インデックステーブルは、先に図９、図１０を参照して説明したディスクタイプ情報を記録したテーブルである。
【０１３４】
（ステップＳ２０２）
情報処理装置は、ステップＳ２０２において、現在、エミュレーションモードが起動中であるか否かを判定する。
先に図７のフローチャートのステップＳ１３２の処理として説明したように、前述したように、エミュレーションモードは、装着ディスクが、以下のフォーマット組み合わせの設定において起動される。
物理フォーマット＝ＢＤ−Ｒ、または、ＢＤ−ＲＥ
論理フォーマット＝ＢＤＭＶ−ＵＨＤ
情報処理装置は、このフォーマットの組み合わせのディスクが装着されたと判定した場合は、図７に示すフローのステップＳ１３２において、エミュレーションモードを起動する。
【０１３５】
前述したように、エミュレーションモードは、通常再生モードと異なる再生モードであり、ディスクに記録された物理媒体指示子（ディスクタイプ（ｄｉｓｃ＿ｔｙｐｅ））の設定値を参照し、物理媒体指示子（ディスクタイプ）に対応付けられた規定の読み出しビットレートと、ディスクの物理フォーマットに対応付けられた規定の読み出しビットレートとを比較し、両者が一致する場合と、一致しない場合とで異なる再生処理を実行する再生モードである。
【０１３６】
このエミュレーションモードを適用することで、物理フォーマットが、ＢＤ−Ｒ、または、ＢＤ−ＲＥのディスクに記録されたＢＤＭＶ−ＵＨＤデータの正常な再生処理を行なうことができる。
情報処理装置は、ステップＳ２０２において、
エミュレーションモードが起動中であると判定した場合は、ステップＳ２０３に進む。
一方、エミュレーションモードが起動中でないると判定した場合は、ステップＳ２０４に進む。
【０１３７】
（ステップＳ２０３）
次に、情報処理装置は、ステップＳ２０３において、ステップＳ２０１でディスクから読み出した物理媒体識別子（ディスクタイプ）の設定値に対応付けられたディスク記録コンテンツの読み出しレートと、ディスクの物理フォーマットに基づいて判断される物理特性としての読み出しレートとが一致するか否かを判定する。
【０１３８】
なお、物理媒体識別子（ディスクタイプ）の設定値に対応付けられたディスク記録コンテンツの読み出しレートは、先に図１０を参照して説明したディスクタイプ滞欧の読み出しレートである。
また、ディスクの物理フォーマットに基づいて判断される物理特性としての読み出しレートは、本例においては、例えば装着ディスクであるＢＤ−Ｒ、ＢＤ−ＲＥの各物理フォーマットに対応した読み出しレートである。
情報処理装置は、これらの物理フォーマットに対応付けられた読み出しレート情報を保持している。
【０１３９】
物理媒体識別子（ディスクタイプ）の設定値に対応付けられた読み出しレートと、ディスクの物理フォーマットに基づいて判断される物理特性としての読み出しレートとが一致する場合は、ステップＳ２０４に進む。
一方、一致しない場合は、ステップＳ２０５に進む。
【０１４０】
（ステップＳ２０４）
ステップＳ２０３の判定処理において、装着ディスクから読み取られた物理媒体識別子（ディスクタイプ）の設定値に対応付けられた読み出しレートと、ディスクの物理フォーマットに基づいて判断される物理特性としての読み出しレートとが一致する場合は、ステップＳ２０４に進む。
【０１４１】
ステップＳ２０４において、情報処理装置は、装着ディスクから読み取られた物理媒体識別子（ディスクタイプ）の設定値に従った再生態様、例えば物理媒体識別子（ディスクタイプ）の設定値対応の読み出しレートを適用して、ディスク記録コンテンツの再生処理を実行する。
【０１４２】
このステップＳ２０４の処理は、物理媒体識別子（ディスクタイプ）の設定値対応の読み出しレートと、ディスクの物理フォーマット対応の読み出しレートとが一致する場合であり、正常な再生処理が実行されることになる。
【０１４３】
なお、ステップＳ２０４の処理は、ステップＳ２０２において、エミュレーションモードが起動されていない場合にも実行される。
前述したように、エミュレーションモードは、装着ディスクが、以下のフォーマット組み合わせの設定において起動される。
物理フォーマット＝ＢＤ−Ｒ、または、ＢＤ−ＲＥ
論理フォーマット＝ＢＤＭＶ−ＵＨＤ
このフォーマットの組み合わせ以外の通常再生モードににおいても、ステップＳ２０４の処理が実行される。
【０１４４】
すなわち、エミュレーションモード以外の通常再生モードにおいても、情報処理装置は、装着ディスクから読み取られた物理媒体識別子（ディスクタイプ）の設定値に従った再生態様、例えば物理媒体識別子（ディスクタイプ）の設定値対応の読み出しレートを適用して、ディスク記録コンテンツの再生処理を実行する。
【０１４５】
（ステップＳ２０５）
一方、ステップＳ２０３の判定処理において、装着ディスクから読み取られた物理媒体識別子（ディスクタイプ）の設定値に対応付けられた読み出しレートと、ディスクの物理フォーマットに基づいて判断される物理特性としての読み出しレートとが一致しない場合は、ステップＳ２０５に進む。
【０１４６】
ステップＳ２０５において、情報処理装置は、ディスクからの読み取りデータを、ビットレート平滑化モジュールに入力し、ビットレート平滑化モジュールにおいて、ビットレート調整処理を行ない、その後、物理媒体指示子（ディスクタイプ）に従った再生態様で、ＢＤ−ＵＨＤ−ＲＯＭに記録されたＢＤＭＶ−ＵＨＤデータを再生する。
【０１４７】
ビットレート平滑化モジュールの構成と処理について、図１２を参照して説明する。
図１２は、ディスク３０１を装着し、再生処理を実行する情報処理装置の一部構成を示すブロック図である。
本例において、ディスク３０１は、物理フォーマットが、ＢＤ−ＲまたはＢＤ−ＲＥであり、記録コンテンツが、本来、ＢＤ−ＵＨＤ−ＲＯＭに記録するＢＤＭＶ−ＵＨＤ論理フォーマットに従ったＵＨＤコンテンツであるものとする。
【０１４８】
ディスク３０１に記録されたコンテンツは、メディアドライブ等によって構成されるメディアＩ／Ｆ３０２を介して読み取られ、読み取られたデータが、ビットレート変換部（ビットレート平滑化モジュール）３１０のスムージングバッファ３１２に一時的に格納される。
【０１４９】
メディアＩ／Ｆ３０２を介してディスク３０１から読み取られるデータの読み出しビットレートは、ディスク３０１の物理フォーマットの規格対応のビットレートである。すなわち、ＢＤ−Ｒディスク対応の読み出しビットレート、またはＢＤ−ＲＥディスク対応の読み出しビットレートで、データ読み出し処理が実行され、読み出しデータがスムージングバッファ３１２に格納される。
【０１５０】
ビットレート変換部３１０の入出力制御部３１１は、スムージングバッフ３１２に対するデータ入力と、スムージングバッフ３１２からのデータ出力の制御を実行する。
入出力制御部３１１は、スムージングバッファ３１２に格納されたディスク読み出しデータを、ＢＤ−ＵＨＤ−ＲＯＭ対応の読み出しレートで、再生処理部３２０のデコーダ３２１に出力する。
【０１５１】
再生処理部３２０のデコーダ３２１に出力するビットレートは、ディスク３０１から読み出された物理媒体識別子（ディスクタイプ）に基づいて決定する。
先に図９、図１０を参照して説明したように、ディスクには図９に示すデータを記録したインデックステーブルが記録されている。
【０１５２】
ビットレート変換部３１０の入出力制御部３１１は、この記録データ中の物理媒体識別子（ディスクタイプ）を取得し、物理媒体識別子（ディスクタイプ）に対応付けられた読み出しビットレートと同じビットレートで、スムージングバッファに格納されたデータを再生処理部３２０のデコーダ３２１に出力する。
【０１５３】
先に図１０を参照して説明したように、ディスクタイプ（００１０〜０１１０）の各々に対して、読み出しビットレートが対応付けられている。
ビットレート変換部３１０の入出力制御部３１１は、図１０に示すと同様の対応データを保持しており、ここの対応データに基づいて、ディスク３０１にも格納されたコンテンツ（ＵＨＤコンテンツ）の本来の読み出しレートを取得し、この読み出しレートと同様のレートで、スムージングバッファ３１２に格納されたデータを再生制御部３２０のデコーダ３２１に出力する。
【０１５４】
なお、このビットレート変換を確実に実行するため、入出力制御部３１１は、ディスク３０１からのデータ読み出しを先行して実行し、読み出しデータをスムージングバッファ３１２にある程度格納された後、スムージングバッファ３１２からデコーダ３２１へのデータ出力を開始する。
この処理によって、Ｒ／ＲＥ対応の読み出しレートが、ＢＤ−ＵＨＤ−ＲＯＭ対応の読み出しレートより低いレートである場合でも、デコーダ３２１への出力を途切れさせることなく、スムージングバッファ３１２からのデータ出力を継続して行うことが可能となる。
【０１５５】
再生処理部３２０は、スムージングバッファ３１２からＢＤ−ＵＨＤ−ＲＯＭ対応の読み出しレートに従って入力されるデータを用いた再生処理を実行する。この再生処理は、ＢＤ−ＵＨＤ−ＲＯＭからのＵＨＤコンテンツ再生と同様の再生処理となる。
【０１５６】
デコーダ３２１には、ＢＤ−ＵＨＤ−ＲＯＭからのＵＨＤコンテンツ再生と同様の読み出しビットレートで読み出しデータが入力され、デコード処理がなされる。
デコード結果は、出力部３２２を介して出力される。
【０１５７】
このビットレート変換部３１０によるビットレート変換処理を伴う再生処理によって、ＢＤ−Ｒディスク、またはＢＤ−ＲＥディスクに格納されたＵＨＤコンテンツは、ＢＤ−ＵＨＤ−ＲＯＭディスクに格納されたＵＨＤコンテンツと同様の正常な再生処理が可能となる。
【０１５８】
［６．情報処理装置の実行する処理のまとめ］
次に、本開示の情報処理装置の実行する処理について、まとめて説明する。
以下の各項目について、順次、説明する。
（１）エミュレーション
（２）物理フォーマット、および論理フォーマットの判別処理
（３）ビットレート変換処理
（４）平文コンテンツ再生処理
（５）インタラクティブ機能
（６）その他
【０１５９】
（１）  エミュレーション
図７に示すフローチャートを参照して説明したように、本開示の情報処理装置は、図７に示すフローチャートにおけるステップＳ１３２においてエミュレーションモードの起動処理を実行する。
エミュレーションモードは、通常再生モードと異なる再生モードであり、装着ディスクが、以下のフォーマット組み合わせの設定の場合に起動される。
物理フォーマット＝ＢＤ−Ｒ、または、ＢＤ−ＲＥ
論理フォーマット＝ＢＤＭＶ−ＵＨＤ
情報処理装置は、このフォーマットの組み合わせのディスクが装着されたと判定した場合は、エミュレーションモードを起動する。
【０１６０】
エミュレーションモードにおける再生処理では、ディスクに記録された物理媒体指示子（ディスクタイプ（ｄｉｓｃ＿ｔｙｐｅ））の設定値を参照し、物理媒体指示子（ディスクタイプ）に対応付けられた規定の読み出しビットレートと、ディスクの物理フォーマットに対応付けられた規定の読み出しビットレートとを比較し、両者が一致する場合と、一致しない場合とで異なる再生処理を実行する
【０１６１】
先に、図１１に示すフローチャートを参照して説明したように、
一致する場合は、装着ディスクから読み取られた物理媒体識別子（ディスクタイプ）の設定値に従った再生態様、例えば物理媒体識別子（ディスクタイプ）の設定値対応の読み出しレートを適用して、ディスク記録コンテンツの再生処理を実行する。
一方、一致しない場合は、先に図１２を参照して説明したように、ディスクからの読み取りデータを、ビットレート変換部（ビットレート平滑化モジュール）に入力し、ビットレート調整処理を行ない、その後、物理媒体指示子（ディスクタイプ）に従った再生態様で、ＢＤ−ＵＨＤ−ＲＯＭに記録されたＢＤＭＶ−ＵＨＤデータを再生する。
これらの処理を実行することで、ＢＤ−Ｒ、またはＢＤ−ＲＥディスクに記録されたＵＨＤコンテンツの正常再生が実現される。
【０１６２】
なお、このエミュレーションモートの起動タイミングは様々な設定が可能である。
ただし、装置の電源投入時よりエミュレーションモードで起動するのではなく、装着ディスクの物理フォーマットおよび記録データの論理フォーマットの判別処理の結果を受けてエミュレーションモードへ移行、あるいは、起動する設定とするのが好ましい。
【０１６３】
（２）物理フォーマット、および論理フォーマットの判別処理
先に。図７に示すフローチャートを参照して説明したように、本開示の情報処理装置は、装着ディスクからのコンテンツ再生に先立ち、装着ディスクの物理フォーマット識別処理、および、装着ディスクに記録されたコンテンツの論理フォーマット識別処理を行う。
【０１６４】
物理フォーマットの識別処理は、装着ディスクの内周領域に記録された管理情報を読み取って行う。あるいは、データ読み取り用の光学ヘッダ（ＬＤ：レーザダイオード）によるスポット光の試験的照射によるデータ読み取り可否判定等によって、物理フォーマットを判定するなど、既存の様々な手法を適用して物理フォーマットの判定処理が行われる。
また、論理フォーマットの識別処理は、例えばディスクに記録された管理情報から記録データのディレクトリ情報を解析する処理などによって実行される。
【０１６５】
これら物理フォーマット、および論理フォーマット判定処理については、多くの開示された従来技術があり、これらの開示技術を適用することが可能である。
【０１６６】
（３）ビットレート変換処理
先に図１２を参照して説明したように、本開示の情報処理装置は、エミュレーションモードの起動時に、ビットレート変換処理を伴うデータ再生を行なう場合がある。
【０１６７】
すなわち、装着ディスクから読み取られた物理媒体識別子（ディスクタイプ）の設定値に対応付けられた読み出しレートと、ディスクの物理フォーマットに基づいて判断される物理特性としての読み出しレートとが一致しない場合、ビットレート変換処理を伴うデータ再生を行なう。
【０１６８】
情報処理装置は、ディスクからの読み取りデータを、図１２に示すビットレート変換部（ビットレート平滑化モジュール）３１０に入力し、ビットレート変換部（ビットレート平滑化モジュール）３１０において、ビットレート調整処理を行ない、その後、物理媒体指示子（ディスクタイプ）に従った再生態様で、ＢＤ−ＵＨＤ−ＲＯＭに記録されたＢＤＭＶ−ＵＨＤデータを再生する。
【０１６９】
（４）平文コンテンツ再生処理
ディスクに記録されたコンテンツが、暗号化コンテンツである場合、情報処理装置は、ディスクドライブを介して供給されるディスク読み取りデータである暗号化コンテンツに対して復号処理を実施する。
【０１７０】
ＢＤ−ＵＨＤ−ＲＯＭディスク記録用のデータを、暗号化処理を施すことなく、平文データとして、ＢＤ−Ｒディスク、またはＢＤ−ＲＥディスクに記録することも可能である。
この場合、エミュレーションモードを適用した再生処理では、復号処理を省略した再生処理を行なうことになる。
なお、ＢＤ−Ｒディスク、またはＢＤ−ＲＥディスクに記録されたコンテンツが暗号化コンテンツである場合は、復号処理を伴う再生処理を実行する。
【０１７１】
（５）インタラクティブ機能
ディスク（ＢＤ）を装着した情報帆処理装置が、ディスク（ＢＤ）に記録されたコンテンツの再生を行なう場合、コンテンツの管理サーバと接続し、情報処理装置とサーバ間で所定の手続きを行うことが要求される場合がある。
【０１７２】
例えば、ＢＤ−ＲＯＭディスクの記録コンテンツの再生時や、コンテンツの出力処理に際して、情報処理装置が、装着ディスクからのコンテンツ再生や出力が許容されるか否かをサーバに問い合わせ、サーバからの再生許可を取得するといった処理をコンテンツ再生前に行う場合がある。
【０１７３】
例えば、このサーバとの処理にディスクに記録されたＢＤ−Ｊアプリケーションが利用される。
ＢＤ−Ｊアプリケーションは、例えばＡＰＩ（アプリケーション・プログラミング・インタフェース）を利用した処理を行なう。
ＡＰＩの一例として、例えば、ディスクに記録されたボリュームＩＤの読み取り処理を実行させるＡＰＩ（ｇｅｔＶｏｌｕｍｅＩＤメソッド）がある。
【０１７４】
例えばＢＤ−ＵＨＤ−ＲＯＭ対応の規定の再生アプリケーションを実行する場合、このＡＰＩの適用処理を行うことが必要となる。
しかし、ＢＤ−ＲやＢＤ−ＲＥディスクにはボリュームＩＤが記録されておらず、このＡＰＩ（ｇｅｔＶｏｌｕｍｅＩＤメソッド）を実行してもＢＤ−ＲやＢＤ−ＲＥディスクから、ボリュームＩＤを読み取ることができない。
【０１７５】
この読み取りエラーによって再生処理が中断してしまうことを回避する構成を情報処理装置（再生装置）に備えさせる。
具体的には、ＢＤ−ＲやＢＤ−ＲＥディスクの装着時に、ＡＰＩ（ｇｅｔＶｏｌｕｍｅＩＤメソッド）が実行された場合、予め規定したダミーデータとしてＡＰＩに規定さたれ１６バイトのボリュームＩＤと同様のダミーデータ、例えば、
「０ｘＦＦＦＦＦＦＦＦＦＦＦＦＦＦＦＦＦＦＦＦＦＦＦＦＦＦＦＦＦＦＦＦ」
上記の１６バイトのダミーデータを再生アプリに返す処理を行なう構成とする。
【０１７６】
この処理によって、再生シーケンスが中断されず、再生処理を継続することが可能となる。
なお、このようなＡＰＩを適用した処理を行わない設定としてもかまわない。
【０１７７】
（６）その他
上述したように、本開示の情報処理装置では、インデックステーブルに記録されたディスクタイプの設定値に基づいて、ディスクに記録されたコンテンツの読み出しビットレートを決定する構成としている。
【０１７８】
なお、単一ゾーン型ディスクの場合、ディスクに記録されたコンテンツの読み出しビットレートは、内周、外周とも一定であるが、２ゾーン型ディスクの場合、ディスクの内周と、外周に記録されたコンテンツの読み出しレートを、切り替えて処理を行なうことになる。
【０１７９】
さらに、エミュレーションモードでは、必要応じて、先に図１２を参照して説明したビットレート変換処理を実行し、ディスク記録コンテンツの正常再生に必要となるビットレートに従った再生処理を可能としている。
図１２を参照して説明したビットレート変換部３１０は、２ゾーン型ディスクの場合、ディスクの内周と、外周に記録されたコンテンツの再生時に、スムージングバッファ３１２からの出力レートの変更処理を行なう。
【０１８０】
なお、例えば、情報処理装置は、必要な読み出しビットレートの判定結果に応じてディスクの回転数を変更する制御を行ってもよい。
【０１８１】
このように、ディスクからのデータ再生を実行する再生装置のデータ処理部は、ディスクに記録されたディスクタイプ情報を読み取り、読み取ったディスクタイプ情報に基づいて、ディスクの記録データ構成を把握し、把握した記録データ構成に応じた読み出しレートに従って、データ読み出しおよび再生処理を実行する。
【０１８２】
前述したように、情報処理装置は、ディスクタイプ情報に基づいて、正常再生に必要な読み出しレートの他、
ディスクが、単一の読み出しレートゾーンからなる単一ゾーン型ディスクであるか、
ディスクが、複数の異なる読み出しレートゾーンからなる複数ゾーン型ディスクであるかを判別可能としたゾーン設定情報や、総記録容量情報などを取得することができる。
再生装置のデータ処理部は、これらの情報を適用して決定するアルゴリズムを適用してデータ読み出しおよび再生処理を実行する。
【０１８３】
具体的には、ディスクが、単一の読み出しレートゾーンからなる単一ゾーン型ディスクである場合は、ディスクの全領域に対して、同一アルゴリズムによるデータ読み出しおよび再生処理を実行する。
また、ディスクが、複数の異なる読み出しレートゾーンからなる複数ゾーン型ディスクである場合は、ディスクの各ゾーン単位で異なるアルゴリズムを適用してデータ読み出しおよび再生処理を実行する。
【０１８４】
なお、インデックステーブルに記録されるディスクタイプ情報は、コンテンツの記録ディスクの製造を行う場合にもメリットがある。
コンテンツ自体を作成するのはコンテンツ制作スタジオである。コンテンツ制作スタジオは、様々な設定のコンテンツを制作する。
具体的には、低読み出しレートゾーンのみを利用して記録可能なコンテンツや、低読み出しレートゾーンと高読み出しレートゾーンの２つのゾーンを利用して記録することが必要なコンテンツ等である。
【０１８５】
コンテンツ制作スタジオは、コンテンツに応じて、図１（１）〜（８）のいずれの態様で記録すべきかを決定し、その情報を予め図９を参照して説明したインデックステーブルのディスクタイプ情報として記録してディスク工場に提供する。
【０１８６】
ディスク工場は、コンテンツ制作スタジオから受領したデータに含まれるインデックステーブルを参照して、コンテンツを記録するディスクのディスクタイプを判定することが可能となる。
ディスク工場は、この判定結果に応じて、ディスクに対するコンテンツ記録態様を決定して記録することが可能となる。
また、記録データの再生試験等に際して、インデックステーブルのディスクタイプ情報を参照して、記録データの構成を知ることが可能となり、記録データの再生試験を正確に行うことが可能となる。
【０１８７】
具体的には、ディスク製造装置においてデータ処理を実行するデータ処理部は、ディスク記録情報に含まれるディスクタイプ情報を読み取り、読み取ったディスクタイプ情報に基づいて、ディスクに対するデータ記録態様を決定してディスクに対するデータ記録処理を実行する。
さらに、データ処理部は、製造ディスクの記録データ再生試験に際して、ディスクに記録されたインデックステーブルのディスクタイプ情報を読み取り、読み取ったディスクタイプ情報に応じて決定するアルゴリズムに従った記録データ再生試験を実行する。
【０１８８】
この再生試験に際しては、ＢＤ−Ｒディスク、またはＢＤ−ＲＥディスクを利用し、ＢＤ−ＵＨＤ−ＲＯＭディスク記録用データをＢＤ−Ｒディスク、またはＢＤ−ＲＥディスクに記録して再生試験を行うことができる。
上述した処理シーケンス、すなわち、図７、図１１に示すフローチャートに従って再生処理を行なうことで、ＢＤ−Ｒディスク、またはＢＤ−ＲＥディスクに記録されたＢＤ−ＵＨＤ−ＲＯＭ記録用のＵＨＤデータを正常に再生することが可能となる。
【０１８９】
［７．情報処理装置の構成例について］
次に、ディスクの再生装置、記録装置、あるいは情報記録媒体製造装置として適用可能な情報処理装置のハードウェア構成例について、図１３を参照して説明する。
【０１９０】
ＣＰＵ（Ｃｅｎｔｒａｌ  Ｐｒｏｃｅｓｓｉｎｇ  Ｕｎｉｔ）５０１は、ＲＯＭ（Ｒｅａｄ  Ｏｎｌｙ  Ｍｅｍｏｒｙ）５０２、または記憶部５０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）５０３には、ＣＰＵ５０１が実行するプログラムやデータなどが記憶される。これらのＣＰＵ５０１、ＲＯＭ５０２、およびＲＡＭ５０３は、バス５０４により相互に接続されている。
【０１９１】
ＣＰＵ５０１はバス５０４を介して入出力インタフェース５０５に接続され、入出力インタフェース５０５には、各種スイッチ、キーボード、マウス、マイクロホンなどよりなる入力部５０６、ディスプレイ、スピーカなどよりなる出力部５０７が接続されている。ＣＰＵ５０１は、入力部５０６から入力される指令に対応して各種の処理を実行し、処理結果を例えば出力部５０７に出力する。
【０１９２】
入出力インタフェース５０５に接続されている記憶部５０８は、例えばハードディスク等からなり、ＣＰＵ５０１が実行するプログラムや各種のデータを記憶する。通信部５０９は、インターネットやローカルエリアネットワークなどのネットワークを介したデータ通信の送受信部、さらに放送波の送受信部として機能し、外部の装置と通信する。
【０１９３】
入出力インタフェース５０５に接続されているドライブ５１０は、磁気ディスク、光ディスク、光磁気ディスク、あるいはメモリカード等の半導体メモリなどのリムーバブルメディア５１１を駆動し、データの記録あるいは読み取りを実行する。
【０１９４】
なお、図１２を参照して説明した構成は、データ処理部としてのＣＰＵ５０１の処理として実行可能である。スムージングバッファは記憶部５０８が利用可能である。
また、図１２を参照して説明した構成を独立した専用ハードウェアとして備えた構成としてもよい。
【０１９５】
［８．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０１９６】
なお、本明細書において開示した技術は、以下のような構成をとることができる。
（１）  ディスク記録データの再生処理を実行するデータ処理部を有し、
前記データ処理部は、
ディスクの物理フォーマットに基づく規定の物理フォーマット対応読み出しレートと、
ディスクに記録されたディスクタイプ情報に対応付けられたディスクタイプ対応読み出しレートを取得し、
前記物理フォーマット対応読み出しレートと、前記ディスクタイプ対応読み出しレートが不一致の場合、前記物理フォーマット対応読み出しレートに従ったレートでディスクから読み出したデータをバッファに格納し、前記ディスクタイプ対応読み出しレートに従ったレートで前記バッファから出力し、
前記バッファからの出力データを利用した再生処理を実行する情報処理装置。
【０１９７】
（２）  前記データ処理部は、
ディスクの物理フォーマットと、論理フォーマットの識別処理を実行し、
物理フォーマットと、論理フォーマットが予め規定した組み合わせである場合には、通常再生処理を実行し、
物理フォーマットと、論理フォーマットが予め規定した組み合わせでない場合には、通常再生処理ではないエミュレーションモードでの再生処理を実行し、
前記エミュレーションモードにおいて、
前記物理フォーマット対応読み出しレートと、前記ディスクタイプ対応読み出しレートとの比較処理を実行する（１）に記載の情報処理装置。
【０１９８】
（３）  前記データ処理部は、
ディスクの物理フォーマットが、ＢＤ−Ｒ、またはＢＤ−ＲＥ対応の物理フォーマットであり、
ディスクの論理フォーマットが、超高精細画像（ＵＨＤ：Ｕｌｔｒａ  Ｈｉｇｈ  Ｄｅｆｉｎｉｔｉｏｎ画像）記録用のＢＤＭＶ−ＵＨＤ対応の論理フォーマットである場合、
前記エミュレーションモードでの再生処理を実行する（２）に記載の情報処理装置。
【０１９９】
（４）  前記データ処理部は、
前記物理フォーマット対応読み出しレートと、前記ディスクタイプ対応読み出しレートが一致する場合、前記バッファを介したレート変換を実行することなく、前記物理フォーマット対応読み出しレートに従ったレートでディスクから読み出したデータを利用した再生処理を実行する（１）〜（３）いずれかに記載の情報処理装置。
【０２００】
（５）  前記データ処理部は、
ディスクに記録されたディスクタイプ情報に基づいて、ディスクが異なる読み出しレートを設定した複数ゾーン型ディスクであるか否かを判定する（１）〜（４）いずれかに記載の情報処理装置。
【０２０１】
（６）  前記データ処理部は、
ディスクが、前記複数ゾーン型ディスクであると判定した場合、ゾーン単位で前記バッファからのデータ出力レートを変更する（１）〜（５）いずれかに記載の情報処理装置。
【０２０２】
（７）  前記データ処理部は、
ディスクに記録されたインデックステーブルから、前記ディスクタイプ情報を取得する（１）〜（６）いずれかに記載の情報処理装置。
【０２０３】
（８）  前記ディスクは、
超高精細画像（ＵＨＤ：Ｕｌｔｒａ  Ｈｉｇｈ  Ｄｅｆｉｎｉｔｉｏｎ画像）の記録用ディスクであるＢＤ−ＵＨＤ−ＲＯＭ記録用のデータを記録したＢＤ−Ｒディスク、またはＢＤ−ＲＥディスクであり、
前記データ処理部は、
ＢＤ−Ｒディスク、またはＢＤ−ＲＥディスクからのＵＨＤコンテンツ再生処理を実行する（１）〜（７）いずれかに記載の情報処理装置。
【０２０４】
（９）  前記ディスクは、
非暗号化データを記録したＢＤ−Ｒディスク、またはＢＤ−ＲＥディスクであり、
前記データ処理部は、
ＢＤ−Ｒディスク、またはＢＤ−ＲＥディスクからの非暗号化コンテンツ再生処理を実行する（１）〜（８）いずれかに記載の情報処理装置。
【０２０５】
（１０）  情報処理装置において実行する情報処理方法であり、
前記情報処理装置は、ディスク記録データの再生処理を実行するデータ処理部を有し、
前記データ処理部は、
ディスクの物理フォーマットに基づく規定の物理フォーマット対応読み出しレートと、
ディスクに記録されたディスクタイプ情報に対応付けられたディスクタイプ対応読み出しレートを取得し、
前記物理フォーマット対応読み出しレートと、前記ディスクタイプ対応読み出しレートが不一致の場合、前記物理フォーマット対応読み出しレートに従ったレートでディスクから読み出したデータをバッファに格納し、前記ディスクタイプ対応読み出しレートに従ったレートで前記バッファから出力し、
前記バッファからの出力データを利用した再生処理を実行する情報処理方法。
【０２０６】
（１１）  情報処理装置において情報処理を実行させるプログラムであり、
前記情報処理装置は、ディスク記録データの再生処理を実行するデータ処理部を有し、
前記プログラムは、前記データ処理部に、
ディスクの物理フォーマットに基づく規定の物理フォーマット対応読み出しレートと、
ディスクに記録されたディスクタイプ情報に対応付けられたディスクタイプ対応読み出しレートを取得する処理と、
前記物理フォーマット対応読み出しレートと、前記ディスクタイプ対応読み出しレートが不一致の場合、前記物理フォーマット対応読み出しレートに従ったレートでディスクから読み出したデータをバッファに格納し、前記ディスクタイプ対応読み出しレートに従ったレートで前記バッファから出力する処理と、
前記バッファからの出力データを利用した再生処理を実行させるプログラム。
【０２０７】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２０８】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２０９】
以上、説明したように、本開示の一実施例の構成によれば、ディスクの記録データであるディスクタイプ情報に基づいて決定する態様でデータ再生を行なう。
具体的には、例えば、ディスクの物理フォーマット対応の読み出しレートと、ディスクタイプ対応の読み出しレートを比較し、不一致の場合、物理フォーマット対応レートでディスクから読み出したデータをバッファに格納し、ディスクタイプ対応レートでバッファから出力したデータを利用して再生処理を行なう。物理フォーマットがＢＤ−Ｒ、またはＢＤ−ＲＥ、論理フォーマットがＢＤＭＶ−ＵＨＤ対応の論理フォーマットである場合、バッファを利用したレート変換を伴うエミュレーションモード再生を行なう。
本構成により、ディスクの記録データ構成情報であるディスクタイプ情報に基づいて、ディスクタイプに適合した正しいビットレートを適用した再生処理を行なうことが可能となる。
【符号の説明】
【０２１０】
１１１  単一レートゾーン
１２１  低レート（ＬＴＲ）ゾーン
１２２  高レート（ＨＴＲ）ゾーン
２００  情報記録媒体（ディスク）
２０１  管理情報設定部
２０２  データ部
３０１  ディスク
３０２  メディアＩ／Ｆ
３１０  ビットレート変換部（ビットレート平滑化モジュール）
３１１  入出力制御部
３１２  スムージングバッファ
３２０  再生処理部
３２１  デコーダ
３２２  出力部
５０１  ＣＰＵ
５０２  ＲＯＭ
５０３  ＲＡＭ
５０４  バス
５０５  入出力インタフェース
５０６  入力部
５０７  出力部
５０８  記憶部
５０９  通信部
５１０  ドライブ
５１１  リムーバブルメディア
【図１】
2017068971.tif 000003
【図２】
2017068971.tif 000004
【図３】
2017068971.tif 000005
【図４】
2017068971.tif 000006
【図５】
2017068971.tif 000007
【図６】
2017068971.tif 000008
【図７】
2017068971.tif 000009
【図８】
2017068971.tif 000010
【図９】
2017068971.tif 000011
【図１０】
2017068971.tif 000012
【図１１】
2017068971.tif 000013
【図１２】
2017068971.tif 000014
【図１３】
2017068971.tif 000015
【国際調査報告】
2017068971.tif 000016
2017068971.tif 000017
2017068971.tif 000018
2017068971.tif 000019
2017068971.tif 000020
2017068971.tif 000021